(57)【要約】【課題】表示色域の拡大と、知覚色の個人差の低減とを高精度に両立することができる技術を提供する。【解決手段】本発明の画像表示装置は、複数の部分領域のそれぞれについてナロー光源とブロード光源とを有する発光手段と、発光手段からの光を変調することにより、画面に画像を表示する表示手段と、表示対象の画像データに基づいて、複数の部分領域のそれぞれについて、ナロー光源の発光強度と、ブロード光源の発光強度とを制御する制御手段と、を有し、制御手段は、高彩度領域においてナロー光源が優先して使用され、低彩度領域においてブロード光源が優先して使用され、且つ、部分領域に対応するブロード光源からの光に起因した、他の部分領域における表示色域の縮小が抑制されるように、ナロー光源の発光強度と、ブロード光源の発光強度とを制御する。【選択図】図１
2017083572.tif 000002
【特許請求の範囲】
【請求項１】
画面の複数の部分領域のそれぞれについて、スペクトル幅が狭い光を発するナロー光源と、スペクトル幅が広い光を発するブロード光源とを有する発光手段と、
前記発光手段からの光を変調することにより、前記画面に画像を表示する表示手段と、
表示対象の画像データに基づいて、前記複数の部分領域のそれぞれについて、前記ナロー光源の発光強度と、前記ブロード光源の発光強度とを制御する制御手段と、
を有し、
前記制御手段は、
画像データの彩度が高い画像領域が表示される部分領域である高彩度領域において、前記ナロー光源が優先して使用され、
画像データの彩度が低い画像領域が表示される部分領域である低彩度領域において、前記ブロード光源が優先して使用され、且つ、
前記部分領域に対応する前記ブロード光源からの光に起因した、他の部分領域における表示色域の縮小が抑制されるように、
前記ナロー光源の発光強度と、前記ブロード光源の発光強度とを制御する
ことを特徴とする画像表示装置。
【請求項２】
前記制御手段は、
前記部分領域に表示される画像データに基づいて、前記ナロー光源から発せられた光の前記表示手段に到達した際の強度であり、且つ、当該部分領域に表示される画像データの彩度を表示可能な強度である強度を、当該部分領域の目標強度として決定し、
前記部分領域の目標強度に応じた発光強度を、当該部分領域に対応する前記ナロー光源の発光強度として決定し、
各ナロー光源から発せられた光の前記部分領域における前記表示手段に到達した際の強度の合計が、当該部分領域の目標強度以上となるように、当該部分領域に対応する前記ナロー光源の発光強度を補正し、
前記部分領域に対応する前記ナロー光源の補正後の発光強度に基づいて、当該部分領域に対応する前記ブロード光源の発光強度を決定する
ことを特徴とする請求項１に記載の画像表示装置。
【請求項３】
前記制御手段は、前記ナロー光源から発せられた光の前記表示手段に到達した際の強度であり、且つ、前記部分領域に表示される画像データの彩度を表示可能な強度である強度の最低値を、当該部分領域の目標強度として決定する
ことを特徴とする請求項２に記載の画像表示装置。
【請求項４】
前記制御手段は、各ナロー光源から発せられた光の前記部分領域における前記表示手段に到達した際の強度の合計が、当該部分領域の目標強度と略一致するように、当該部分領域に対応する前記ナロー光源の発光強度を補正する
ことを特徴とする請求項２または３に記載の画像表示装置。
【請求項５】
画像データの画素値と、前記目標強度との対応関係を示す情報を記憶する記憶手段をさらに有し、
前記制御手段は、前記部分領域に表示される画像データと、前記記憶手段が記憶している前記情報とに基づいて、当該部分領域の前記目標強度を決定する
ことを特徴とする請求項２〜４のいずれか１項に記載の画像表示装置。
【請求項６】
前記制御手段は、前記複数の部分領域のそれぞれについて、前記目標強度の決定、前記ナロー光源の発光強度の決定、前記ナロー光源の発光強度の補正、及び、前記ブロード光源の発光強度の決定を行う
ことを特徴とする請求項２〜５のいずれか１項に記載の画像表示装置。
【請求項７】
前記制御手段は、画像データの彩度が高い画像領域と、画像データの彩度が低い画像領域との境界の表示位置に対応する部分領域について、前記目標強度の決定、前記ナロー光源の発光強度の決定、前記ナロー光源の発光強度の補正、及び、前記ブロード光源の発光強度の決定を行う
ことを特徴とする請求項２〜５のいずれか１項に記載の画像表示装置。
【請求項８】
前記制御手段は、前記彩度が高い画像領域と彩度が低い画像領域との境界の表示位置に対応する部分領域において前記ブロード光源が使用されずに前記ナロー光源が使用されるように、前記ナロー光源の発光強度と、前記ブロード光源の発光強度とを制御する
ことを特徴とする請求項１に記載の画像表示装置。
【請求項９】
前記制御手段は、
前記境界の表示位置に対応しない前記高彩度領域において前記ブロード光源が使用されずに前記ナロー光源が使用され、且つ、
前記境界の表示位置に対応しない前記低彩度領域において前記ナロー光源が使用されずに前記ブロード光源が使用されるように、
前記ナロー光源の発光強度と、前記ブロード光源の発光強度とを制御する
ことを特徴とする請求項７または８に記載の画像表示装置。
【請求項１０】
前記制御手段は、
所定の条件を満たす部分領域の周辺に、前記所定の条件を満たさない前記高彩度領域が存在する場合に、前記所定の条件を満たす当該部分領域において前記ブロード光源が使用されずに前記ナロー光源が使用され、且つ、
前記所定の条件を満たす部分領域の周辺に、前記所定の条件を満たさない前記高彩度領域が存在しない場合に、前記所定の条件を満たす当該部分領域において前記ナロー光源が使用されずに前記ブロード光源が使用されるように、
前記ナロー光源の発光強度と、前記ブロード光源の発光強度とを制御する
ことを特徴とする請求項１に記載の画像表示装置。
【請求項１１】
前記制御手段は、
前記所定の条件を満たす前記高彩度領域の周辺に、前記所定の条件を満たさない部分領域が存在しない場合に、前記所定の条件を満たす当該高彩度領域において前記ブロード光源が使用されずに前記ナロー光源が使用され、且つ、
前記所定の条件を満たす前記低彩度領域の周辺に、前記所定の条件を満たさない部分領域が存在しない場合に、前記所定の条件を満たす当該低彩度領域において前記ナロー光源が使用されずに前記ブロード光源が使用されるように、
前記ナロー光源の発光強度と、前記ブロード光源の発光強度とを制御する
ことを特徴とする請求項１０に記載の画像表示装置。
【請求項１２】
前記制御手段は、
前記所定の条件を満たさない前記高彩度領域において前記ブロード光源が使用されずに前記ナロー光源が使用され、且つ、
前記所定の条件を満たさない前記低彩度領域において前記ナロー光源が使用されずに前記ブロード光源が使用されるように、
前記ナロー光源の発光強度と、前記ブロード光源の発光強度とを制御する
ことを特徴とする請求項１０または１１に記載の画像表示装置。
【請求項１３】
入力画像を表す入力画像データに、所定のグラフィック画像を表すグラフィック画像デ
ータを合成することにより、前記入力画像と前記所定のグラフィック画像とが配置された合成画像を表す合成画像データを、前記表示対象の画像データとして生成する合成手段、をさらに有し、
前記所定の条件を満たす部分領域は、前記所定のグラフィック画像が表示される部分領域、または、前記入力画像が表示される部分領域である
ことを特徴とする請求項１０〜１２のいずれか１項に記載の画像表示装置。
【請求項１４】
第１の入力画像を表す第１の入力画像データに、第２の入力画像を表す第２の入力画像データを合成することにより、前記第１の入力画像と前記第２の入力画像とが配置された合成画像を表す合成画像データを、前記表示対象の画像データとして生成する合成手段、をさらに有し、
前記所定の条件を満たす部分領域は、前記第１の入力画像が表示される部分領域、または、前記第２の入力画像が表示される部分領域である
ことを特徴とする請求項１０〜１２のいずれか１項に記載の画像表示装置。
【請求項１５】
前記第１の入力画像と前記第２の入力画像の一方をユーザ操作に応じて選択する選択手段、をさらに有し、
前記所定の条件を満たす部分領域は、前記選択手段によって選択された画像が表示される部分領域である
ことを特徴とする請求項１４に記載の画像表示装置。
【請求項１６】
前記表示対象の画像データが表す画像には、複数の画像が配置されており、
前記複数の画像のそれぞれに対し優先度が設定されており、
前記所定の条件を満たす部分領域は、前記複数の画像のうち、前記優先度が最も高い画像以外の画像が表示される部分領域である
ことを特徴とする請求項１０〜１２のいずれか１項に記載の画像表示装置。
【請求項１７】
前記部分領域に表示される画像データに基づいて、当該部分領域が前記高彩度領域であるか前記低彩度領域であるかを判断する判断手段、をさらに有する
ことを特徴とする請求項１〜１６のいずれか１項に記載の画像表示装置。
【請求項１８】
画面の複数の部分領域のそれぞれについて、スペクトル幅が狭い光を発するナロー光源と、スペクトル幅が広い光を発するブロード光源とを有する発光手段と、
前記発光手段からの光を変調することにより、前記画面に画像を表示する表示手段と、を有する画像表示装置の制御方法であって、
表示対象の画像データを取得するステップと、
前記表示対象の画像データに基づいて、前記複数の部分領域のそれぞれについて、前記ナロー光源の発光強度と、前記ブロード光源の発光強度とを制御する制御ステップと、
を有し、
前記制御ステップでは、
画像データの彩度が高い画像領域が表示される部分領域である高彩度領域において、前記ナロー光源が優先して使用され、
画像データの彩度が低い画像領域が表示される部分領域である低彩度領域において、前記ブロード光源が優先して使用され、且つ、
前記部分領域に対応する前記ブロード光源からの光に起因した、他の部分領域における表示色域の縮小が抑制されるように、
前記ナロー光源の発光強度と、前記ブロード光源の発光強度とを制御する
ことを特徴とする画像表示装置の制御方法。
【請求項１９】
請求項１８に記載の画像表示装置の制御方法の各ステップをコンピュータに実行させる
ことを特徴とするプログラム。
【発明の詳細な説明】
【技術分野】
【０００１】
本発明は、画像表示装置に関する。
【背景技術】
【０００２】
人間の視覚特性を表わす情報として、色に関する視覚特性を表す等色関数がある。年齢等に依存して等色関数が変化することにより等色関数の個人差が生じることが知られている。そして、ＣＩＥ（国際照明委員会）により、等色関数の変化を示すモデルとして、ＣＩＥ１７０−１が提案されている。
【０００３】
等色関数の個人差は、人間の知覚色の個人差をまねく。そのため、画像表示装置の画面の測定色を印刷物の色に一致するように画像表示装置の色キャリブレーションを行っても、ユーザが画面の色を印刷物の色と同じ色として認識できないことがある。この現象は、スペクトル幅が狭い光を発するナロー光源をバックライトモジュールに用いた液晶表示装置などで顕著に現れる。ナロー光源は、例えば、表示色域の拡大を目的として使用される。
【０００４】
この問題を解決するための従来技術は、例えば、特許文献１，２に開示されている。特許文献１には、６原色の階調値を有する画像データと、６原色の表示素子を有する画像表示装置とを使用する方法が開示されている。特許文献２には、バックライトモジュールの光源として、スペクトル幅が広い光を発するブロード光源と、スペクトル幅が狭い光を発するナロー光源とを使用する方法が開示されている。特許文献２の方法では、画像データの彩度が低い画像を表示する場合にブロード光源が使用され、画像データの彩度が高い画像を表示する場合にナロー光源が使用される。特許文献２の方法では、知覚色の個人差の低減を目的としてブロード光源が使用される。
【０００５】
しかしながら、特許文献１の方法では、６原色の階調値を有していない画像データを６原色の階調値を有する画像データに変換したり、多数の表示素子を用意したりする必要がある。そのため、処理負荷の増大、コストの増大、等が生じる。
【０００６】
バックライトモジュールなどで使用される光源の数は、一般的に、表示素子の数よりも少ない。そのため、特許文献２の方法では、処理負荷の増大、コストの増大、等は抑制される。しかしながら、特許文献２の方法では、他の問題が生じる。
【０００７】
ここで、画像データの彩度が低い画像領域が表示される領域の周辺に、画像データの彩度が高い画像領域が存在する場合を考える。この場合、画像データの彩度が高い画像領域が表示される領域にブロード光源からの光が漏れることがある。このような光の漏れは、高彩度領域における表示色域の縮小をもたらす。そのため、特許文献２に開示の技術では、高彩度領域において所望の色を表示できないことがある。
【０００８】
特許文献２の方法で生じる上記問題について、図３１を用いて具体的に説明する。図３１では、画像表示装置の画面１２０１に、高彩度領域１２０２と低彩度領域１２０３が存在する。高彩度領域１２０２は、低彩度領域１２０３に隣接する。ここで、高彩度領域１２０２でナロー光源が使用され、低彩度領域１２０３でブロード光源が使用された場合を考える。この場合、低彩度領域１２０３におけるブロード光源からの光が、高彩度領域１２０２に漏れる。その結果、ブロード光源からの光によって表示色域が縮小された領域１２０４が、高彩度領域１２０２内に生じる。
【先行技術文献】
【特許文献】
【０００９】
【特許文献１】特開２００３−１４１５１８号公報
【特許文献２】特表２０１２−５１５９４８号公報
【発明の概要】
【発明が解決しようとする課題】
【００１０】
本発明は、表示色域の拡大と、知覚色の個人差の低減とを高精度に両立することができる技術を提供することを目的とする。
【課題を解決するための手段】
【００１１】
本発明の第１の態様は、
画面の複数の部分領域のそれぞれについて、スペクトル幅が狭い光を発するナロー光源と、スペクトル幅が広い光を発するブロード光源とを有する発光手段と、
前記発光手段からの光を変調することにより、前記画面に画像を表示する表示手段と、
表示対象の画像データに基づいて、前記複数の部分領域のそれぞれについて、前記ナロー光源の発光強度と、前記ブロード光源の発光強度とを制御する制御手段と、
を有し、
前記制御手段は、
画像データの彩度が高い画像領域が表示される部分領域である高彩度領域において、前記ナロー光源が優先して使用され、
画像データの彩度が低い画像領域が表示される部分領域である低彩度領域において、前記ブロード光源が優先して使用され、且つ、
前記部分領域に対応する前記ブロード光源からの光に起因した、他の部分領域における表示色域の縮小が抑制されるように、
前記ナロー光源の発光強度と、前記ブロード光源の発光強度とを制御する
ことを特徴とする画像表示装置である。
【００１２】
本発明の第２の態様は、
画面の複数の部分領域のそれぞれについて、スペクトル幅が狭い光を発するナロー光源と、スペクトル幅が広い光を発するブロード光源とを有する発光手段と、
前記発光手段からの光を変調することにより、前記画面に画像を表示する表示手段と、を有する画像表示装置の制御方法であって、
表示対象の画像データを取得するステップと、
前記表示対象の画像データに基づいて、前記複数の部分領域のそれぞれについて、前記ナロー光源の発光強度と、前記ブロード光源の発光強度とを制御する制御ステップと、
を有し、
前記制御ステップでは、
画像データの彩度が高い画像領域が表示される部分領域である高彩度領域において、前記ナロー光源が優先して使用され、
画像データの彩度が低い画像領域が表示される部分領域である低彩度領域において、前記ブロード光源が優先して使用され、且つ、
前記部分領域に対応する前記ブロード光源からの光に起因した、他の部分領域における表示色域の縮小が抑制されるように、
前記ナロー光源の発光強度と、前記ブロード光源の発光強度とを制御する
ことを特徴とする画像表示装置の制御方法である。
【００１３】
本発明の第３の態様は、上述した画像表示装置の制御方法の各ステップをコンピュータに実行させることを特徴とするプログラムである。
【発明の効果】
【００１４】
本発明によれば、表示色域の拡大と、知覚色の個人差の低減とを高精度に両立することができる。
【図面の簡単な説明】
【００１５】
【図１】実施例１に係る画像表示装置の構成の一例を示す図
【図２】実施例１に係る特徴量取得部の構成の一例を示す図
【図３】実施例１に係る部分領域の一例を示す図
【図４】実施例１に係るｘｙヒストグラム生成部の処理フローの一例を示す図
【図５】実施例１に係るバックライトモジュールの構成の一例を示す図
【図６】実施例１に係る発光強度決定部の構成の一例を示す図
【図７】実施例１に係る表示色域の一例を示す図
【図８】実施例１に係る強度テーブルの一例を示す図
【図９】実施例１に係る目標強度決定部の処理フローの一例を示す図
【図１０】図９のＳ２０４の処理フローの一例を示す図
【図１１】実施例１に係る色域の一例を示す図
【図１２】図１１の一部を拡大した図
【図１３】実施例１に係る液晶パネルの背面における光の強度分布の一例を示す図
【図１４】実施例１に係る繰り返し処理部の処理フローの一例を示す図
【図１５】図１４のＳ４０５の処理フローの一例を示す図
【図１６】図１４のＳ４０６の処理フローの一例を示す図
【図１７】図１４のＳ４０８の処理フローの一例を示す図
【図１８】実施例１に係る画像処理部の構成の一例を示す図
【図１９】実施例１の効果の一例を説明するための図
【図２０】実施例２に係る画像表示装置の構成の一例を示す図
【図２１】実施例２に係る境界検出部の構成の一例を示す図
【図２２】実施例２に係る彩度判断部の処理フローの一例を示す図
【図２３】実施例２に係る境界判断部の処理フローの一例を示す図
【図２４】実施例３に係る画像表示装置の構成の一例を示す図
【図２５】実施例４に係る画像表示装置の構成の一例を示す図
【図２６】実施例５に係る画像表示装置の構成の一例を示す図
【図２７】実施例５に係る発光強度決定部の構成の一例を示す図
【図２８】実施例５に係る目標強度決定部の処理フローの一例を示す図
【図２９】実施例５に係る強度テーブルの一例を示す図
【図３０】実施例６に係る画像表示装置の構成の一例を示す図
【図３１】本発明により解決される課題の一例を示す図
【図３２】実施例６に係る無彩色画素の検出方法の一例を説明するための図
【図３３】実施例６に係る輝度特徴量と発光強度の対応関係の一例を示す図
【図３４】実施例６に係る光源選択部の処理フローの一例を示す図
【図３５】実施例６に係る光源選択部の処理の具体例を説明するための図
【図３６】実施例６に係る光源選択部の処理の他の例を説明するための図
【図３７】実施例７に係る画像配置の一例を示す図
【図３８】実施例７に係る画像表示装置の構成の一例を示す図
【図３９】実施例８に係る合成画像の一例を示す図
【発明を実施するための形態】
【００１６】
＜実施例１＞
以下、本発明の実施例１について説明する。なお、以下では、本実施例に係る画像表示装置が透過型の液晶表示装置である場合の例を説明するが、本実施例に係る画像表示装置は透過型の液晶表示装置に限らない。本実施例に係る画像表示装置は、発光部と、発光部
からの光を画像データに基づいて変調することにより画面に画像を表示する表示部と、を有する画像表示装置であればよい。例えば、本実施例に係る画像表示装置は、反射型の液晶表示装置であってもよい。また、本実施例に係る画像表示装置は、液晶素子の代わりにＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置であってもよい。
【００１７】
図１は、本実施例に係る画像表示装置１００の構成の一例を示すブロック図である。画像表示装置１００は、特徴量取得部１０１、発光強度決定部１０２、画像処理部１０３、光源制御部１０４、バックライトモジュール１０５、及び、液晶パネル１０６を有する。
【００１８】
特徴量取得部１０１は、表示対象の画像データである入力画像データＩの特徴量を取得する。入力画像データＩは、例えば、不図示の入力部（入力端子）を介して画像表示装置１００内に入力された画像データである。本実施例では、複数の部分領域が予め定められている。各部分領域は、画像表示装置１００の画面の一部の領域である。特徴量取得部１０１は、複数の部分領域のそれぞれについて、その部分領域に表示される画像データの特徴量を、入力画像データＩから取得する。本実施例では、特徴量として、ｘｙ値（ｘ値とｙ値の組み合わせ）のヒストグラムが取得される。
【００１９】
なお、特徴量は特に限定されない。特徴量として、画素値の代表値、画素値のヒストグラム、輝度値の代表値、輝度値のヒストグラム、等を使用することができる。画素値としては、ＲＧＢ値（Ｒ値、Ｇ値、及び、Ｂ値の組み合わせ）、ＹＣｂＣｒ値（Ｙ値、Ｃｂ値、及び、Ｃｒ値の組み合わせ）、ＸＹＺ値（Ｘ値、Ｙ値、及び、Ｚ値の組み合わせ）、ｘｙ値、等を使用することができる。代表値としては、平均値、最大値、最小値、最頻値、中間値、等を使用することができる。
【００２０】
図２は、特徴量取得部１０１の構成の一例を示すブロック図である。特徴量取得部１０１は、ｘｙ変換部１１と、ｘｙヒストグラム生成部１２とを有する。
【００２１】
ｘｙ変換部１１は、入力画像データＩの各画素値をｘｙ値に変換する。そして、ｘｙ変換部１１は、入力画像データＩの各画素のｘｙ値をｘｙヒストグラム生成部１２に出力する。ｘｙ値への変換方法は特に限定されないが、本実施例では、入力画像データＩで想定された色域（色空間）に基づいて、入力画像データＩの各画素値がｘｙ値に変換される。本実施例では、入力画像データＩの色域がｓＲＧＢで定義された色域であり、入力画像データＩの画素値がＲＧＢ値であるとする。なお、入力画像データＩの色域は特に限定されない。入力画像データＩの画素値も特に限定されない。本実施例では、ＣＩＥ１９３１表色系の定義に基づいてＲＧＢ値がｘｙ値に変換される。具体的には、以下の方法によりＲＧＢ値がｘｙ値に変換される。
【００２２】
まず、ｘｙ変換部１１は、以下の式１を用いて、Ｒ値の逆ガンマ変換を行う。式１において、「Ｒ」は、逆ガンマ変換前のＲ値であり、入力画像データＩのＲ値である。「ＬＲ」は、逆ガンマ変換後のＲ値である。さらに、ｘｙ変換部１１は、Ｒ値の逆ガンマ変換と同様に、Ｇ値の逆ガンマ変換と、Ｂ値の逆ガンマ変換とを行う。それにより、逆ガンマ変換後のＧ値であるＬＧと、逆ガンマ変換後のＢ値であるＬＢとが得られる。
Ｒ＜０．０４０４５０の場合：ＬＲ＝Ｒ／１２．９２
Ｒ≧０．０４０４５０の場合：ＬＲ＝（（Ｒ＋０．０５５）／１．０５５）２．４
・・・（式１）
【００２３】
次に、ｘｙ変換部１１は、以下の式２〜４を用いて、ＲＧＢ値（ＬＲ，ＬＧ，ＬＢ）からＸＹＺ値（Ｘ，Ｙ，Ｚ）を算出する。
Ｘ＝ａ１１×ＬＲ＋ａ１２×ＬＧ＋ａ１３×ＬＢ  ・・・（式２）
Ｙ＝ａ２１×ＬＲ＋ａ２２×ＬＧ＋ａ２３×ＬＢ  ・・・（式３）
Ｚ＝ａ３１×ＬＲ＋ａ３２×ＬＧ＋ａ３３×ＬＢ  ・・・（式４）
【００２４】
式２〜４のａ１１〜ａ３３は、ＲＧＢ値をＸＹＺ値に変換する変換行列の要素である。本実施例では、入力画像データＩの色域がｓＲＧＢで定義された色域であるため、ａ１１〜ａ３３として以下の値が使用される。
ａ１１＝０．４１２４
ａ１２＝０．３５７６
ａ１３＝０．１８０５
ａ２１＝０．２１２６
ａ２２＝０．７１５２
ａ２３＝０．０７２２
ａ３１＝０．０１９３
ａ３２＝０．１１９２
ａ３３＝０．９５０５
【００２５】
そして、ｘｙ変換部１１は、以下の式５，６を用いて、ＸＹＺ値からｘｙ値（ｘ，ｙ）を算出する。本実施例では、以下の式５，６によって算出された値の小数点第４位が四捨五入され、小数点第３位までの値がｘ値およびｙ値として得られる。ｓＲＧＢでは、赤色の色度座標（ｘ，ｙ）＝（０．６４，０．３３）、緑色の色度座標（ｘ，ｙ）＝（０．３，０．６）、青色の色度座標（ｘ，ｙ）＝（０．１５，０．０６３）である。そのため、ｘ値の取り得る値の最小値は０．１５であり、ｘ値の取り得る値の最大値は０．６４であり、ｙ値の取り得る値の最小値は０．０６３であり、ｙ値の取り得る値の最大値は０．６である。
ｘ＝Ｘ／（Ｘ＋Ｙ＋Ｚ）  ・・・（式５）
ｙ＝Ｙ／（Ｘ＋Ｙ＋Ｚ）  ・・・（式６）
【００２６】
ｘｙヒストグラム生成部１２は、ｘｙ変換部１１によって得られたｘｙ値のヒストグラムであるｘｙヒストグラムを生成する。具体的には、ｘｙヒストグラム生成部１２は、複数の部分領域のそれぞれについて、その部分領域に表示される画像データのｘｙ値のヒストグラムを、ｘｙヒストグラムとして生成する。本実施例では、図３に示すように、複数の部分領域として、画面の領域を構成する複数の分割領域が設定されている。図３の例では、３行５列のマトリクス状に配置された１５個の分割領域ｄ［ｑ］［ｐ］が設定されている。「ｑ」は分割領域の行番号（垂直方向における位置）であり、「ｐ」は分割領域の列番号（水平方向における位置）である。本実施例では、分割領域ｄ［ｑ］［ｐ］のｘｙヒストグラムを、「Ｈ［ｑ］［ｐ］」と記載する。そして、ｘカテゴリ値ｃｘとｙカテゴリ値ｃｙの組み合わせに対応するｘｙヒストグラムＨ［ｑ］［ｐ］の度数を、「Ｈ［ｑ］［ｐ］［ｃｘ］［ｃｙ］」と記載する。
【００２７】
ｘカテゴリ値ｃｘは、ｘ値に対応付けられるインデックスであり、ｙカテゴリ値ｃｙは、ｙ値に対応付けられるインデックスである。上述したように、本実施例では、ｘ値およびｙ値として、小数点第３位までの値が得られる。そこで、ｘｙヒストグラム生成部１２は、０．００１単位のカテゴリ分けが行われるように、ｘカテゴリ値ｃｘとｙカテゴリ値
ｃｙとを決定する。具体的には、以下の式７，８を用いて、ｘカテゴリ値ｃｘとｙカテゴリ値ｃｙが決定される。式７の「ｘＭｉｎ」は、ｘ値の取り得る値の最小値であり、式８の「ｙＭｉｎ」は、ｙ値の取り得る値の最小値である。
ｃｘ＝（ｘ−ｘＭｉｎ）×１０００  ・・・（式７）
ｃｙ＝（ｙ−ｙＭｉｎ）×１０００  ・・・（式８）
【００２８】
なお、ｘ値のカテゴリ分けの方法は上記方法に限らない。例えば、複数のｘ値を含むｘ範囲（ｘ値の範囲）に対して、１つのｘカテゴリ値ｃｘが対応付けられてもよい。ｙ値のカテゴリ分けの方法についても同様である。
【００２９】
本実施例では、ｘ値の取り得る値の範囲は、０．１５以上かつ０．６４以下の範囲である。そして、ｘ値のカテゴリ分けとして、０．００１単位のカテゴリ分けが行われる。そのため、以下の式９に示すように、ｘカテゴリ値ｃｘの取り得る値の数は４９１個である。そして、式７から、ｘカテゴリ値ｃｘの取り得る値の範囲が、０以上かつ４９０以下の範囲であることがわかる。
（０．６４−０．１５）×１０００＋１＝４９１  ・・・（式９）
【００３０】
本実施例では、ｙ値の取り得る値の範囲は、０．０６３以上かつ０．６以下の範囲である。そして、ｙ値のカテゴリ分けとして、０．００１単位のカテゴリ分けが行われる。そのため、以下の式１０に示すように、ｙカテゴリ値ｃｙの取り得る値の数は５３８個である。そして、式８から、ｙカテゴリ値ｃｙの取り得る値の範囲が、０以上かつ５３７以下の範囲であることがわかる。
（０．６−０．０６３）×１０００＋１＝５３８  ・・・（式１０）
【００３１】
本実施例では、例えば、分割領域ｄ［ｑ］［ｐ］に表示され、且つ、ｘｙ値（ｘ，ｙ）が（０．１５，０．０６３）である画素の数が、度数Ｈ［ｑ］［ｐ］［０］［０］として得られる。分割領域ｄ［ｑ］［ｐ］に表示され、且つ、ｘｙ値（ｘ，ｙ）が（０．１５１，０．０６３）である画素の数が、度数Ｈ［ｑ］［ｐ］［１］［０］として得られる。
【００３２】
ｘｙヒストグラム生成部１２の処理フローについて、図４を用いて説明する。図４は、ｘｙヒストグラム生成部１２の処理フローの一例を示すフローチャートである。具体的には、図４は、ｘｙヒストグラムＨ［ｑ］［ｐ］を生成する処理フローの一例を示す。ｘｙヒストグラム生成部１２は、複数の分割領域のそれぞれについて、図４に示す処理フローを実行する。
【００３３】
まず、Ｓ１０１にて、ｘｙヒストグラム生成部１２は、変数ｉを０に初期化する。変数ｉは、分割領域ｄ［ｑ］［ｐ］に表示される画素を選択するための変数である。次に、Ｓ１０２にて、ｘｙヒストグラム生成部１２は、分割領域ｄ［ｑ］［ｐ］に表示される全ての画素について処理が行われたか否かを判断する。具体的には、変数ｉが閾値Ｎよりも大きいか否かが判断される。閾値Ｎは、分割領域ｄ［ｑ］［ｐ］に表示される画素の総数である。変数ｉが閾値Ｎよりも大きい場合には、本処理フローが終了され、変数ｉが閾値Ｎ以下である場合には、Ｓ１０３に処理が進められる。Ｓ１０３にて、ｘｙヒストグラム生成部１２は、変数ｉに対応する画素のｘ値に対応するｘカテゴリ値ｃｘと、変数ｉに対応する画素のｙ値に対応するｙカテゴリ値ｃｙとを算出する。そして、ｘｙヒストグラム生
成部１２は、算出されたｘカテゴリ値ｃｘと、算出されたｙカテゴリ値ｃｙとの組み合わせに対応する度数Ｈ［ｑ］［ｐ］［ｃｘ］［ｃｙ］を１インクリメントする。次に、Ｓ１０４にて、ｘｙヒストグラム生成部１２は、変数ｉを１インクリメントする。その後、Ｓ１０２に処理が戻される。
【００３４】
発光強度決定部１０２は、バックライトモジュール１０５の発光強度（発光輝度；発光量）を決定する。発光強度は、光源から発せられた光の強度である。バックライトモジュール１０５は、複数の分割領域のそれぞれについて、ナロー光（スペクトル幅が狭い光）を発するナロー光源と、ブロード光（スペクトル幅が広い光）を発するブロード光源とを有する発光部である。発光強度決定部１０２は、複数の分割領域のそれぞれについて、ナロー光源の発光強度と、ブロード光源の発光強度とを決定する。本実施例では、入力画像データＩ（表示対象の画像データ）に基づいて、ナロー光源の発光強度と、ブロード光源の発光強度とが決定される。具体的には、特徴量取得部１０１によって取得された特徴量（ｘｙヒストグラムＨ［ｑ］［ｐ］）に基づいて、ナロー光源の発光強度ｂｌＮ［ｑ］［ｐ］と、ブロード光源の発光強度ｂｌＢ［ｑ］［ｐ］とが決定される。
【００３５】
図５は、バックライトモジュール１０５の構成の一例を示す図である。本実施例では、図５に示すように、各分割領域に、赤色光を発するＲ−ＬＥＤ、緑色光を発するＧ−ＬＥＤ、青色光を発するＢ−ＬＥＤ、及び、白色光を発するＷ−ＬＥＤの４つのＬＥＤ（発光ダイオード）が設けられている。本実施例では、Ｒ−ＬＥＤ、Ｇ−ＬＥＤ、及び、Ｂ−ＬＥＤがナロー光源であり、Ｗ−ＬＥＤがブロード光源である。ここで、Ｒ−ＬＥＤ、Ｇ−ＬＥＤ、Ｂ−ＬＥＤ、及び、Ｗ−ＬＥＤの４つのＬＥＤの集合を、「ＬＥＤ群」と記載する。本実施例では、図５に示すように、複数のＬＥＤ群の数と配置は、複数の分割領域のそれらと同じである。
【００３６】
なお、複数の部分領域の配置と、複数のＬＥＤ群の配置とは特に限定されない。例えば、複数の部分領域と複数のＬＥＤ群の少なくとも一方が千鳥格子状に配置されていてもよい。部分領域は分割領域でなくてもよい。例えば、部分領域として、他の全ての部分領域から離れた領域が使用されてもよい。部分領域の少なくとも一部が、他の部分領域の少なくとも一部に重なっていてもよい。部分領域とＬＥＤ群の対応関係は１対１の対応関係でなくてもよい。１つの部分領域に２つ以上のＬＥＤ群が対応付けられてもよい。ＬＥＤ群が含む光源の数と発光色は特に限定されない。例えば、Ｒ−ＬＥＤ、Ｇ−ＬＥＤ、及び、Ｂ−ＬＥＤの少なくともいずれかが使用されなくてもよいし、黄色光を発するＹ−ＬＥＤが使用されてもよい。１つのＬＥＤ群が、同じ種類のＬＥＤを複数有していてもよい。例えば、１つのＬＥＤ群が、複数のＧ−ＬＥＤを有していてもよい。部分領域の数、及び、ＬＥＤ群の数も特に限定されない。光源はＬＥＤに限らない。光源として、有機ＥＬ素子、プラズマ素子、冷陰極管、等が使用されてもよい。
【００３７】
図６は、発光強度決定部１０２の構成の一例を示すブロック図である。発光強度決定部１０２は、目標強度決定部２１と、繰り返し処理部２２とを有する。
【００３８】
目標強度決定部２１は、分割領域ｄ［ｑ］［ｐ］に表示される画像データに基づいて、分割領域ｄ［ｑ］［ｐ］の目標強度Ｔ［ｑ］［ｐ］を決定する。本実施例では、ｘｙヒストグラムＨ［ｑ］［ｐ］に基づいて、分割領域ｄ［ｑ］［ｐ］の目標強度Ｔ［ｑ］［ｐ］が決定される。目標強度Ｔ［ｑ］［ｐ］は、ナロー光源から発せられた光の液晶パネル１０６に到達した際の強度であり、分割領域ｄ［ｑ］［ｐ］に表示される画像データの彩度を表示可能な強度である。本実施例では、ナロー光源から発せられた光の液晶パネル１０６に到達した際の強度であり、且つ、分割領域ｄ［ｑ］［ｐ］に表示される画像データの彩度を表示可能な強度である強度の最低値が、目標強度Ｔ［ｑ］［ｐ］として決定される。目標強度決定部２１は、複数の分割領域ｄ［ｑ］［ｐ］のそれぞれについて目標強度Ｔ
［ｑ］［ｐ］を決定する。なお、上記最低値よりも高い発光強度が、分割領域ｄ［ｑ］［ｐ］の目標強度Ｔ［ｑ］［ｐ］として決定されてもよい。
【００３９】
図７は、本実施例に係る表示色域の一例を示す。表示色域は、画面上の色の色域である。図７には、ナロー光源のみを点灯した場合の表示色域と、ブロード光源のみを点灯した場合の表示色域とが示されている。図７から、ナロー光源のみを点灯した場合の表示色域が、ブロード光源のみを点灯した場合の表示色域よりも広いことがわかる。画像データが色度ａを有する場合、色度ａを正確に表示するために、ナロー光源のみを点灯することが考えられる。しかし、ナロー光源のみを点灯すると、知覚色の個人差が増してしまう。知覚色は、人間が知覚する色である。そして、ブロード光源のみを点灯すると、表示色域が縮小してしまう。
【００４０】
そこで、本実施例では、画像データの彩度が高い画像領域が表示される分割領域である高彩度領域において、表示色域の拡大（画像データの色の正確な表示）のために、ナロー光源を優先して使用する。一方、画像データの彩度が低い画像領域が表示される分割領域である低彩度領域においては、知覚色の個人差の低減のために、ブロード光源を優先して使用する。画像データの彩度が高低の基準は特に限定されないが、本実施例では、「画像データの彩度が高い画像領域」は、ブロード光だけでは画像データの色を正確に表示できない画像領域を意味する。そして、「画像データの彩度が低い画像領域」は、ブロード光源からの光だけで画像データの色を正確に表示できる画像領域を意味する。
【００４１】
しかしながら、そのような制御では、低彩度領域のブロード光源からの光が高彩度領域に漏れ込むことにより、高彩度領域の表示色域が縮小することがある。そこで、本実施例では、分割領域に対応するブロード光源からの光に起因した、他の分割領域における表示色域の縮小が抑制されるように、ナロー光源の発光強度と、ブロード光源の発光強度とを制御する。換言すれば、分割領域間におけるブロード光の漏れの影響を考慮して、画像データの色を正確に表示できるように、ナロー光源の発光強度と、ブロード光源の発光強度とを制御する。
【００４２】
このような制御の実現のために、目標強度決定部２１は、上述した目標強度Ｔ［ｑ］［ｐ］を決定する。ナロー光源から発せられて液晶パネル１０６に到達した際の光の強度を目標強度Ｔ［ｑ］［ｐ］に制御すれば、ブロード光による表示色域の縮小を抑制することができる。また、ブロード光源を点灯させることにより、知覚色の個人差を低減することができる。
【００４３】
本実施例では、目標強度決定部２１は、図８の強度テーブルを用いて、ナロー光源の目標強度Ｔ［ｑ］［ｐ］を決定する。図８の強度テーブルは、不図示の記憶部に予め格納される。図８の強度テーブルは、ｉｎｄｅｘ、色域（赤色のｘｙ値、緑色のｘｙ値、及び、青色のｘｙ値）、ナロー光の強度、及び、ブロード光の強度の対応関係を示す。図８では、６つのｉｎｄｅｘ０〜５に対応する６つの色域が定められている。なお、強度テーブルが示す色域の数は、６つより多くても少なくてもよい。強度テーブルの代わりに関数が使用されてもよい。また、強度テーブルは、ブロード光の強度を示さなくてもよい。
【００４４】
目標強度決定部２１の処理フローについて、図９を用いて説明する。図９は、目標強度決定部２１の処理フローの一例を示すフローチャートである。具体的には、図９は、目標強度Ｔ［ｑ］［ｐ］を決定する処理フローの一例を示す。目標強度決定部２１は、複数の分割領域のそれぞれについて、図９に示す処理フローを実行する。
【００４５】
まず、Ｓ２０１にて、目標強度決定部２１は、変数ｘｃｎｔ、変数ｙｃｎｔ、及び、目標強度Ｔ［ｑ］［ｐ］を、０に初期化する。変数ｘｃｎｔと変数ｙｃｎｔは、ｘｙヒスト
グラムＨ［ｑ］［ｐ］のカテゴリを選択するための変数である。具体的には、変数ｘｃｎｔは、ｘカテゴリ値ｃｘを選択するための変数であり、変数ｙｃｎｔは、ｙカテゴリ値ｃｙを選択するための変数である。
【００４６】
次に、Ｓ２０２にて、目標強度決定部２１は、変数ｘｃｎｔが閾値ｃｘＭａｘよりも大きいか否かを判断する。閾値ｃｘＭａｘは、ｘカテゴリ値ｃｘの取り得る値の最大値である。本実施例では、閾値ｃｘＭａｘは４９０である。変数ｘｃｎｔが閾値ｃｘＭａｘ以下である場合には、Ｓ２０３に処理が進められ、変数ｘｃｎｔが閾値ｃｘＭａｘよりも大きい場合には、Ｓ２０８に処理が進められる。
【００４７】
Ｓ２０３にて、目標強度決定部２１は、度数Ｈ［ｑ］［ｐ］［ｘｃｎｔ］［ｙｃｎｔ］が閾値ｔｈ以上であるか否かを判断する。度数Ｈ［ｑ］［ｐ］［ｘｃｎｔ］［ｙｃｎｔ］が閾値ｔｈ以上である場合には、Ｓ２０４に処理が進められ、度数Ｈ［ｑ］［ｐ］［ｘｃｎｔ］［ｙｃｎｔ］が閾値ｔｈ未満である場合には、Ｓ２０７に処理が進められる。画像データにノイズが含まれていないことを前提とする場合には、閾値ｔｈとして１を用いればよい。画像データにノイズが含まれていないことを前提とする場合には、Ｓ２０３の処理が省略されてもよい。画像データにノイズが含まれる可能性がある場合には、目標強度Ｔ［ｑ］［ｐ］の決定に対するノイズの影響が抑制されるように、ある程度大きい値を閾値ｔｈとして使用することが好ましい。
【００４８】
Ｓ２０４にて、目標強度決定部２１は、変数（ｘカテゴリ値）ｘｃｎｔをｘ値ｘａに変換し、変数（ｙカテゴリ値）ｙｃｎｔをｙ値ｙａに変換する。そして、目標強度決定部２１は、ｘｙ値（ｘａ，ｙａ）と図８の強度テーブルとに基づいて、仮目標強度ｔＴを決定する。その後、Ｓ２０５に処理が進められる。本実施例では、仮目標強度ｔＴは、ナロー光源から発せられた光の液晶パネル１０６に到達した際の強度であり、処理対象の色度（ｘａ，ｙａ）を正確に表示するために最低限必要な強度である。
【００４９】
Ｓ２０５にて、目標強度決定部２１は、仮目標強度ｔＴが目標強度Ｔ［ｑ］［ｐ］よりも大きいか否かを判断する。仮目標強度ｔＴが目標強度Ｔ［ｑ］［ｐ］よりも大きい場合には、Ｓ２０６に処理が進められ、仮目標強度ｔＴが目標強度Ｔ［ｑ］［ｐ］以下である場合には、Ｓ２０７に処理が進められる。
【００５０】
Ｓ２０６にて、目標強度決定部２１は、目標強度Ｔ［ｑ］［ｐ］の値を仮目標強度ｔＴと同じ値に更新する。そして、Ｓ２０７に処理が進められる。
【００５１】
Ｓ２０７にて、目標強度決定部２１は、変数ｘｃｎｔを１インクリメントする。その後、Ｓ２０２に処理が戻される。
【００５２】
Ｓ２０８にて、目標強度決定部２１は、変数ｙｃｎｔが閾値ｃｙＭａｘよりも大きいか否かを判断する。閾値ｃｙＭａｘは、ｙカテゴリ値ｃｙの取り得る値の最大値である。本実施例では、閾値ｃｙＭａｘは５３７である。変数ｙｃｎｔが閾値ｃｙＭａｘ以下である場合には、Ｓ２０９に処理が進められ、変数ｙｃｎｔが閾値ｃｙＭａｘよりも大きい場合には、本処理フローが終了される。
【００５３】
Ｓ２０９にて、目標強度決定部２１は、変数ｘｃｎｔを０に初期化し、変数ｙｃｎｔを１インクリメントする。その後、Ｓ２０３に処理が進められる。
【００５４】
上記方法によれば、閾値ｔｈ未満である度数Ｈ［ｑ］［ｐ］［ｃｘ］［ｃｙ］に対応する仮目標強度ｔＴの最大値が、目標強度Ｔ［ｑ］［ｐ］として得られる。
【００５５】
図９のＳ２０４の処理フロー（仮目標強度ｔＴを決定する処理フロー）について、図１０を用いて説明する。図１０は、図９のＳ２０４の処理フローの一例を示すフローチャートである。
【００５６】
まず、Ｓ３０１にて、目標強度決定部２１は、ｘｙ値（ｘａ，ｙａ）がブロード光源のみの点灯で表示可能なｘｙ値か否かを判断する。本実施例では、６つのｉｎｄｅｘ０〜５に対応する６つの色域として、図１１に示す６つの色域が予め定められている。ｉｎｄｅｘ０の色域は、ナロー光源のみを点灯した場合の表示色域であり、ｉｎｄｅｘ５の色域は、ブロード光源のみを点灯した場合の表示色域である。ｉｎｄｅｘ１〜４の色域は、ｉｎｄｅｘ０の色域と、ｉｎｄｅｘ５の色域との間の色域である。ｉｎｄｅｘ１の色域はｉｎｄｅｘ０の色域よりも狭く、ｉｎｄｅｘ２の色域はｉｎｄｅｘ１の色域よりも狭く、ｉｎｄｅｘ３の色域はｉｎｄｅｘ２の色域よりも狭く、ｉｎｄｅｘ４の色域はｉｎｄｅｘ３の色域よりも狭い。そして、Ｓ３０１にて、目標強度決定部２１は、ｘｙ値（ｘａ，ｙａ）がｉｎｄｅｘ５の色域よりも内側のｘｙ値であるか否かを判断する。
【００５７】
ｘｙ値（ｘａ，ｙａ）がｉｎｄｅｘ５の色域よりも内側のｘｙ値である場合には、ｘｙ値（ｘａ，ｙａ）がブロード光源のみの点灯で表示可能なｘｙ値であるため、Ｓ３０５に処理が進められる。ｘｙ値（ｘａ，ｙａ）がｉｎｄｅｘ５の色域よりも外側のｘｙ値である場合には、ｘｙ値（ｘａ，ｙａ）がブロード光源のみの点灯で表示不可能なｘｙ値であるため、Ｓ３０２に処理が進められる。
【００５８】
Ｓ３０２にて、目標強度決定部２１は、輪郭（２つの輪郭）がｘｙ値（ｘａ，ｙａ）を挟む２つの色域に対応する２つのｉｎｄｅｘＡ，Ｂを、ｉｎｄｅｘ０〜６の中から選択する。本実施例では、輪郭がｘｙ値（ｘａ，ｙａ）に近い色域に対応するｉｎｄｅｘが優先して選択される。ここで、ｘｙ値（ｘａ，ｙａ）が、ｘｙ値（０．４９８，０．４１５）であり、図１１の点ａにプロットされたとする。この場合、点ａは、ｉｎｄｅｘ２の色域の輪郭と、ｉｎｄｅｘ３の色域の輪郭とに挟まれている。そのため、ｉｎｄｅｘＡとしてｉｎｄｅｘ２、ｉｎｄｅｘＢとしてｉｎｄｅｘ３が選択される。その後、Ｓ３０３に処理が進められる。
【００５９】
Ｓ３０３にて、目標強度決定部２１は、ｘｙ値（ｘａ，ｙａ）と、ｉｎｄｅｘＡの色域の輪郭との距離ｄ０を算出する。同様に、目標強度決定部２１は、ｘｙ値（ｘａ，ｙａ）と、ｉｎｄｅｘＢの色域の輪郭との距離ｄ１を算出する。その後、Ｓ３０４に処理が進められる。ここで、ｉｎｄｅｘＡの色域の輪郭の１辺（点ａから最も近い辺）に対応する直線が、ａ０×ｘ＋ｂ０×ｙ＋ｃ０＝０で表され、ｉｎｄｅｘＢの色域の輪郭の１辺（点ａから最も近い辺）に対応する直線が、ａ１×ｘ＋ｂ１×ｙ＋ｃ１＝０で表されるとする。そして、距離ｄ０，ｄ１は、以下の式１１，１２を用いて算出される。
ｄ０＝｜ａ０×ｘａ＋ｂ０×ｙａ＋ｃ０｜／（（ａ０２＋ｂ０２）１／２）
・・・（式１１）
ｄ１＝｜ａ１×ｘａ＋ｂ１×ｙａ＋ｃ１｜／（（ａ１２＋ｂ１２）１／２）
・・・（式１２）
【００６０】
図１２は、図１１の一部を拡大した図である。図１２に示すように、本実施例では、距離ｄ０，ｄ１として、点ａから直線に下した垂線の長さが算出される。ｘｙ値（ｘａ，ｙａ）＝（０．４９８，０．４１５）である場合には、ｄ０＝０．００５と、ｄ１＝０．００７とが得られる。
【００６１】
上記２つの直線式の定数ａ０，ｂ０，ｃ０，ａ１，ｂ１，ｃ１の算出方法について説明
する。色度座標（ｘａ，ｙａ）が、赤色の色度座標（Ｒ座標）から緑色の色度座標（Ｇ座標）までの範囲に対応する色度座標である場合には、ｉｎｄｅｘＡの色域のＲ座標とＧ座標を通る直線の式が得られるように、定数ａ０，ｂ０，ｃ０が算出される。そして、ｉｎｄｅｘＢの色域のＲ座標とＧ座標を通る直線の式が得られるように、定数ａ１，ｂ１，ｃ１が算出される。同様に、色度座標（ｘａ，ｙａ）が、Ｇ座標から青色の色度座標（Ｂ座標）までの範囲に対応する色度座標である場合には、Ｇ座標とＢ座標を通る直線の式が得られるように、定数ａ０，ｂ０，ｃ０，ａ１，ｂ１，ｃ１が算出される。そして、色度座標（ｘａ，ｙａ）が、Ｂ座標からＲ座標までの範囲に対応する色度座標である場合には、Ｂ座標とＧ座標を通る直線の式が得られるように、定数ａ０，ｂ０，ｃ０，ａ１，ｂ１，ｃ１が算出される。例えば、Ｒ座標からＧ座標までの範囲に対応する色度座標は、図１１のエリア１の色度座標である。Ｇ座標からＢ座標までの範囲に対応する色度座標は、図１１のエリア２の色度座標である。そして、Ｂ座標からＲ座標までの範囲に対応する色度座標は、図１１のエリア３の色度座標である。
【００６２】
例えば、図１１に示すように、色度座標（ｘａ，ｙａ）が、エリア１の色度座標である点ａにプロットされる場合には、ｉｎｄｅｘＡの色域のＲ座標とＧ座標を通る直線の式が得られるように、定数ａ０，ｂ０，ｃ０が算出される。ここで、ｉｎｄｅｘＡの色域のＲ座標が色度座標（ｘ＿ｒａ，ｙ＿ｒａ）であり、ｉｎｄｅｘＡの色域のＧ座標が（ｘ＿ｇａ，ｙ＿ｇａ）である場合を考える。この場合、ｉｎｄｅｘＡの直線式ａ０×ｘ＋ｂ０×ｙ＋ｃ０＝０のｘ，ｙに、上記Ｒ座標とＧ座標の値を代入することにより、以下の式１３，１４が生成される。そして、式１３，１４から定数ａ０，ｂ０の値が算出され、定数ａ０，ｂ０の算出値を式１３または式１４に代入し、定数ｃ０が算出される。同様の方法で、定数ａ１，ｂ１，ｃ１も算出される。
ａ０×ｘ＿ｒａ＋ｂ０×ｙ＿ｒａ＋ｃ０＝０  ・・・（式１３）
ａ０×ｘ＿ｇａ＋ｂ０×ｙ＿ｇａ＋ｃ０＝０  ・・・（式１４）
【００６３】
なお、定数ａ０，ｂ０，ｃ０，ａ１，ｂ１，ｃ１は、目標強度決定部２１によりＳ３０３にて算出されてもよいし、予め用意されていてもよい。
【００６４】
Ｓ３０４にて、目標強度決定部２１は、Ｓ３０３で得られた距離ｄ０，ｄ１と、図８の強度テーブルが示すナロー光の強度とに基づいて、仮目標強度ｔＴを算出する。具体的には、目標強度決定部２１は、ｉｎｄｅｘＡに対応するナロー光の強度と、ｉｎｄｅｘＢに対応するナロー光の強度とを、距離ｄ０，ｄ１に応じた重みで合成することにより、仮目標強度ｔＴを算出する。本実施例では、仮目標強度ｔＴは、以下の式１５を用いて算出される。図１５において、「Ｎ＿ｉｎｄｅｘＡ」は、ｉｎｄｅｘＡに対応するナロー光の強度であり、「Ｎ＿ｉｎｄｅｘＢ」は、ｉｎｄｅｘＢに対応するナロー光の強度である。そして、Ｓ２０４の処理が終了される。
ｔＴ＝（ｄ１×Ｎ＿ｉｎｄｅｘＡ＋ｄ０×Ｎ＿ｉｎｄｅｘＢ）／（ｄ０＋ｄ１）
・・・（式１５）
【００６５】
上述したように、ｘｙ値（ｘａ，ｙａ）＝（０．４９８，０．４１５）である場合には、ｄ０＝０．００５と、ｄ１＝０．００７とが得られる。そして、図８の強度テーブルから、Ｎ＿ｉｎｄｅｘＡ＝０．６と、Ｎ＿ｉｎｄｅｘＢ＝０．４とが得られる。従って、仮目標強度ｔＴとして０．５２が得られる。
【００６６】
Ｓ３０５にて、目標強度決定部２１は、仮目標強度ｔＴとして０を設定する。そして、
Ｓ２０４の処理が終了される。ｘｙ値（ｘａ，ｙａ）がブロード光源のみの点灯で表示可能なｘｙ値である場合、ブロード光源のみを点灯することにより、ｘｙ値（ｘａ，ｙａ）に対応する色を正確に表示することができる。また、ｘｙ値（ｘａ，ｙａ）に対応する知覚色の個人差を低減することもできる。
【００６７】
繰り返し処理部２２は、分割領域間におけるブロード光の漏れの影響を考慮して、画像データの各画素を画像データの彩度で表示できるように、各ナロー光源の発光強度と、各ブロード光源の発光強度とを決定する。そして、繰り返し処理部２２は、決定した発光強度の情報を出力する。それにより、ナロー光源およびブロード光源は、決定された発光強度で発光する。
【００６８】
一般的に、光源からの光は、光源の直上にのみ向かうわけではなく、拡散する。そのため、分割領域に対応する光源からの光は、当該分割領域だけでなく、他の分割領域（周辺の分割領域）へも向かう。そのため、分割領域間におけるブロード光の漏れが生じる。ブロード光とナロー光の意図せぬ混ざり合いが生じ、表示色域の縮小が生じる。
【００６９】
図１３は、光源から発せられた光の液晶パネル１０６の背面に到達した際の強度（光量）の一例を示す。図１３には、分割領域ｄ［０］［０］〜ｄ［０］［４］における強度の分布が示されている。図１３では、分割領域ｄ［０］［０］，ｄ［０］［１］においてナロー光源のみが点灯しており、分割領域ｄ［０］［２］，ｄ［０］［３］，ｄ［０］［４］においてブロード光源のみが点灯している。
【００７０】
図１３では、分割領域ｄ［０］［０］，ｄ［０］［１］においてナロー光源のみが点灯しているが、分割領域ｄ［０］［０］，ｄ［０］［１］には、他の分割領域からブロード光が漏れ込んでいる。同様に、分割領域ｄ［０］［２］，ｄ［０］［３］，ｄ［０］［４］においてブロード光源のみが点灯しているが、他の分割領域からナロー光が漏れ込んでいる。なお、図１３では、垂直方向に存在する他の分割領域からの光の漏れが示されているが、様々な方向（水平方向や斜め方向）に存在する他の分割領域からの光の漏れが発生する。そのため、光の漏れとして、様々な方向の光の漏れを考慮することが望ましい。
【００７１】
繰り返し処理部２２は、目標強度Ｔ［ｑ］［ｐ］と、光源のプロファイル関数ＰＮ［ｎ］［ｍ］とを用いて、ナロー光源の発光強度ｂｌＮ［ｑ］［ｐ］と、ブロード光源の発光強度ｂｌＢ［ｑ］［ｐ］とを決定する。プロファイル関数ＰＮ［ｎ］［ｍ］は、光源から発せられた光の減衰に関する関数である。「ｎ」は垂直距離（垂直方向における距離）であり、［ｍ］は水平距離（水平方向における距離）である。ＰＮ［ｎ］［ｍ］は、光源からの光が垂直距離ｎ且つ水平距離ｍの位置に到達する際の到達率である。垂直距離ｎ且つ水平距離ｍの位置での到達率は、光源から発せられた際の光の強度に対する、垂直距離ｎ且つ水平距離ｍの位置に到達した際の光の強度の割合である。本実施例では、発光強度ｂｌＮ［ｑ］［ｐ］，ｂｌＢ［ｑ］［ｐ］として、０〜１の値が決定される。発光強度０は、光源が消灯することを意味し、発光強度１は、光源が上限の発光強度で発光することを意味する。０〜１の値は、「基準の発光強度に対する発光強度の割合」とも言える。基準の発光強度は、例えば、各光源の発光強度の個別制御を行わない場合に使用される発光強度である。なお、プロファイル関数ＰＮ［ｎ］［ｍ］の数は特に限定されない。複数の光源に対応する複数のプロファイル関数ＰＮ［ｎ］［ｍ］が予め用意されていてもよいし、複数の光源に共通の１つのプロファイル関数ＰＮ［ｎ］［ｍ］が予め用意されていてもよい。
【００７２】
本実施例では、繰り返し処理部２２は、各ナロー光源から発せられた光の分割領域ｄ［ｑ］［ｐ］における液晶パネル１０６に到達した際の強度の合計が目標強度Ｔ［ｑ］［ｐ］と略一致するように、ナロー光源の発光強度ｂｌＮ［ｑ］［ｐ］を決定する。「略一致
」は、「完全一致」を含んでいてもよいし、「完全一致」を含んでいなくてもよい。これにより、画像データの各画素が画像データの彩度で表示可能となる。また、各ナロー光源から発せられた光の分割領域ｄ［ｑ］［ｐ］における液晶パネル１０６に到達した際の強度の合計が目標強度Ｔ［ｑ］［ｐ］と略一致することにより、ナロー光の漏れを抑制することができる。ナロー光の漏れは知覚色の個人差を増大させるため、本実施例によれば、知覚色の個人差をより高精度に低減することができる。
【００７３】
具体的には、繰り返し処理部２２は、目標強度Ｔ［ｑ］［ｐ］に応じた発光強度を、発光強度ｂｌＮ［ｑ］［ｐ］として決定する。そして、繰り返し処理部２２は、各ナロー光源から発せられた光の分割領域ｄ［ｑ］［ｐ］における液晶パネル１０６に到達した際の強度の合計が目標強度Ｔ［ｑ］［ｐ］と略一致するように、発光強度ｂｌＮ［ｑ］［ｐ］を補正する。具体的には、以下の式１６が満たされるように、決定された発光強度ｂｌＮ［ｑ］［ｐ］を徐々に高められたり、決定された発光強度ｂｌＮ［ｑ］［ｐ］が徐々に低減されたりする。本実施例では、水平方向における分割領域の数が５であり、垂直方向における分割領域の数が３である。そのため、ｊは０〜２、ｉは０〜４の値をとる。式１６の「ａｂｓ（）」は、（）内の値の絶対値を出力する関数である。式１６が満たされることにより、分割領域ｄ［ｑ］［ｐ］において、画像データの各画素を画像データの彩度で表示することができる。なお、式１６では、全てのナロー光源からの光が考慮されているが、一部のナロー光源からの光のみが考慮されてもよい。例えば、分割領域ｄ［ｑ］［ｐ］に対応するナロー光源からの光と、その周辺の分割領域に対応するナロー光源からの光とのみが考慮されてもよい。
【数１】
2017083572.tif 000003
【００７４】
そして、本実施例では、繰り返し処理部２２は、分割領域ｄ［ｑ］［ｐ］に対応するナロー光源の補正後の発光強度ｂｌＮ［ｑ］［ｐ］に基づいて、分割領域ｄ［ｑ］［ｐ］に対応するブロード光源の発光強度ｂｌＢ［ｑ］［ｐ］を決定する。
【００７５】
本実施例では、複数の分割領域ｄ［０］［０］〜ｄ［２］［４］のそれぞれについて、目標強度の決定、ナロー光源の発光強度の決定、ナロー光源の発光強度の補正、及び、ブロード光源の発光強度の決定が行われる。一部の分割領域についてこれらの処理が行われてもよい。
【００７６】
なお、発光強度ｂｌＮ［ｑ］［ｐ］の決定方法は上記方法に限らない。例えば、各ナロー光源から発せられた光の分割領域ｄ［ｑ］［ｐ］における液晶パネル１０６に到達した際の強度の合計が目標強度Ｔ［ｑ］［ｐ］と略一致しなくてもよい。各ナロー光源から発せられた光の分割領域ｄ［ｑ］［ｐ］における液晶パネル１０６に到達した際の強度の合計が分割領域ｄ［ｑ］［ｐ］の目標強度以上になればよい。
【００７７】
繰り返し処理部２２の処理フローについて、図１４を用いて説明する。図１４は、繰り返し処理部２２の処理フローの一例を示すフローチャートである。本実施例では、複数の分割領域ｄ［０］［０］〜ｄ［２］［４］のそれぞれが、以下の各処理の処理対象とされる。
【００７８】
まず、Ｓ４０１にて、繰り返し処理部２２は、目標強度Ｔ［ｑ］［ｐ］に応じた発光強度を、発光強度ｂｌＮ［ｑ］［ｐ］として決定する。本実施例では、目標強度Ｔ［ｑ］［ｐ］が発光強度ｂｌＮ［ｑ］［ｐ］として決定される。例えば、分割領域ｄ［０］［０］
の目標強度Ｔ［０］［０］が、分割領域ｄ［０］［０］に対応するナロー光源の発光強度ｂｌＮ［０］［０］として決定される。他のナロー光源の発光強度も、同様の方法で決定される。
【００７９】
次に、Ｓ４０２にて、繰り返し処理部２２は、分割領域ｄ［ｑ］［ｐ］のパターンを判断する。本実施例では、分割領域ｄ［ｑ］［ｐ］のパターンが、以下の４つのパターンのどれに該当するかが判断される。本実施例では、分割領域ｄ［ｑ］［ｐ］のパターンを、「パターンｄｐ［ｑ］［ｐ］」と記載する。例えば、分割領域ｄ［ｑ］［ｐ］のパターンがパターン１である場合、パターンｄｐ［ｑ］［ｐ］＝１が設定される。
パターン１：分割領域ｄ［ｑ］［ｐ］と、その周辺に存在する全ての分割領域とが高彩度領域である。
パターン２：分割領域ｄ［ｑ］［ｐ］が高彩度領域であり、周辺に存在する少なくとも１つの分割領域が低彩度領域である。
パターン３：分割領域ｄ［ｑ］［ｐ］が低彩度領域であり、周辺に存在する少なくとも１つの分割領域が高彩度領域である。
パターン４：分割領域ｄ［ｑ］［ｐ］と、その周辺に存在する全ての分割領域とが低彩度領域である。
【００８０】
本実施例では、繰り返し処理部２２は、分割領域ｄ［ｑ］［ｐ］に隣接する分割領域を、分割領域ｄ［ｑ］［ｐ］の周辺の分割領域として使用する。また、繰り返し処理部２２は、は、目標強度Ｔ［ｑ］［ｐ］が０より大きい分割領域ｄ［ｑ］［ｐ］を高彩度領域として判断し、目標強度Ｔ［ｑ］［ｐ］が０である分割領域ｄ［ｑ］［ｐ］を低彩度領域として判断する。なお、分割領域ｄ［ｑ］［ｐ］の周辺の分割領域、高彩度領域、及び、低彩度領域はこれらに限らない。分割領域ｄ［ｑ］［ｐ］に漏れる光を発する光源に対応する分割領域、分割領域ｄ［ｑ］［ｐ］の表示に閾値以上の影響を与える光を発する光源に対応する分割領域、等が分割領域ｄ［ｑ］［ｐ］の周辺の分割領域として使用されてもよい。分割領域ｄ［ｑ］［ｐ］からの距離が閾値未満の分割領域が、分割領域ｄ［ｑ］［ｐ］の周辺の分割領域として使用されてもよい。距離の閾値として、方向によって異なる値が使用されてもよい。０より大きい閾値を用いて、目標強度Ｔ［ｑ］［ｐ］が閾値以上である分割領域ｄ［ｑ］［ｐ］が高彩度領域として判断され、目標強度Ｔ［ｑ］［ｐ］が閾値未満である分割領域ｄ［ｑ］［ｐ］が低彩度領域として判断されてもよい。
【００８１】
そして、Ｓ４０３にて、繰り返し処理部２２は、パターンｄｐ［ｑ］［ｐ］＝１の分割領域ｄ［ｑ］［ｐ］について、分割領域ｄ［ｑ］［ｐ］に対応するナロー光源の発光強度ｂｌＮ［ｑ］［ｐ］として、１を設定する。パターンｄｐ［ｑ］［ｐ］＝１の分割領域ｄ［ｑ］［ｐ］は高彩度領域であり、周辺には高彩度領域のみが存在する。そのため、パターンｄｐ［ｑ］［ｐ］＝１の分割領域ｄ［ｑ］［ｐ］に対応するナロー光源の発光強度ｂｌＮ［ｑ］［ｐ］を１に制御しても、当該ナロー光源から低彩度領域へのナロー光の漏れは少ない（または生じない）。また、周辺の高彩度領域に対してはナロー光が漏れるため、パターンｄｐ［ｑ］［ｐ］＝２の分割領域に対応するナロー光源の発光強度ｂｌＮ［ｑ］［ｐ］を低減することができる。その結果、低彩度領域へのナロー光の漏れを低減することもできる。
【００８２】
次に、Ｓ４０４にて、繰り返し処理部２２は、分割領域ｄ［ｑ］［ｐ］について式１６が満たされるか否かを判断する。処理対象である全ての分割領域について式１６が満たされる場合には、Ｓ４０５に処理が進められ、処理対象である少なくとも１つの分割領域について式１６が満たされない場合には、Ｓ４０６に処理が進められる。光源からの光は、液晶パネル１０６に到達するまでに減衰する。そのため、分割領域ｄ［ｑ］［ｐ］に対応するナロー光源の発光強度ｂｌＮ［ｑ］［ｐ］＝１であっても、分割領域ｄ［ｑ］［ｐ］について式１６が満たされるとは限らない。
【００８３】
処理対象である全ての分割領域について式１６が満たされる場合、処理対象である全ての分割領域において、画像データの各画素を画像データの彩度で表示することができる。そのため、Ｓ４０５にて、繰り返し処理部２２は、ナロー光の漏れが低減されるように、発光強度ｂｌＮ［ｑ］［ｐ］を低減する。具体的には、Ｓ４０５にて、繰り返し処理部２２は、パターンｄｐ［ｑ］［ｐ］＝２の分割領域ｄ［ｑ］［ｐ］に対応するナロー光源の発光強度ｂｌＮ［ｑ］［ｐ］を低減する。そして、本処理フローが終了される。
【００８４】
パターンｄｐ［ｑ］［ｐ］＝２の分割領域ｄ［ｑ］［ｐ］の周辺には、低彩度領域が存在する。そのため、パターンｄｐ［ｑ］［ｐ］＝２の分割領域ｄ［ｑ］［ｐ］に対応するナロー光源からの光は、周辺の低彩度領域における表示に大きな影響を与えることがある。一方、本実施例では、パターンｄｐ［ｑ］［ｐ］＝１の分割領域ｄ［ｑ］［ｐ］に対応するナロー光源の発光強度ｂｌＮ［ｑ］［ｐ］＝１が、Ｓ４０３で決定される。そのため、パターンｄｐ［ｑ］［ｐ］＝１の分割領域ｄ［ｑ］［ｐ］に対応するナロー光源からの光は、パターンｄｐ［ｑ］［ｐ］＝２の分割領域ｄ［ｑ］［ｐ］に多量に漏れる。従って、パターンｄｐ［ｑ］［ｐ］＝２の分割領域ｄ［ｑ］［ｐ］に対応するナロー光源の発光強度ｂｌＮ［ｑ］［ｐ］を低減しても、処理対象である全ての分割領域について式１６が満たされることがある。そこで、Ｓ４０５では、処理対象である全ての分割領域について式１６が満たされるように、パターンｄｐ［ｑ］［ｐ］＝２の分割領域ｄ［ｑ］［ｐ］に対応するナロー光源の発光強度ｂｌＮ［ｑ］［ｐ］を低減する。それにより、パターンｄｐ［ｑ］［ｐ］＝２の分割領域ｄ［ｑ］［ｐ］に対応するナロー光源からの光が、周辺の低彩度領域における表示に与える影響を低減することができる。
【００８５】
処理対象である少なくとも１つの分割領域について式１６が満たされない場合、当該分割領域において、画像データの各画素を画像データの彩度で表示することができない。そのため、Ｓ４０６〜Ｓ４０７にて、繰り返し処理部２２は、発光強度ｂｌＮ［ｑ］［ｐ］を高める。
【００８６】
具体的には、Ｓ４０６にて、繰り返し処理部２２は、少なくともパターンｄｐ［ｑ］［ｐ］＝２の分割領域ｄ［ｑ］［ｐ］において式１６が満たされるように、当該分割領域ｄ［ｑ］［ｐ］に対応するナロー光源の発光強度ｂｌＮ［ｑ］［ｐ］を高める。次に、Ｓ４０７の処理が行われる。Ｓ４０７の処理は、Ｓ４０４の処理と同じである。処理対象である全ての分割領域について式１６が満たされる場合には、本処理フローが終了され、処理対象である少なくとも１つの分割領域について式１６が満たされない場合には、Ｓ４０８に処理が進められる。
【００８７】
Ｓ４０８にて、繰り返し処理部２２は、少なくともパターンｄｐ［ｑ］［ｐ］＝３の分割領域ｄ［ｑ］［ｐ］において式１６が満たされるように、当該分割領域ｄ［ｑ］［ｐ］に対応するナロー光源の発光強度ｂｌＮ［ｑ］［ｐ］を高める。次に、Ｓ４０９の処理が行われる。Ｓ４０９の処理は、Ｓ４０４の処理と同じである。処理対象である全ての分割領域について式１６が満たされる場合には、本処理フローが終了され、処理対象である少なくとも１つの分割領域について式１６が満たされない場合には、Ｓ４１０に処理が進められる。
【００８８】
Ｓ４１０にて、繰り返し処理部２２は、少なくともパターンｄｐ［ｑ］［ｐ］＝４の分割領域ｄ［ｑ］［ｐ］において式１６が満たされるように、当該分割領域ｄ［ｑ］［ｐ］に対応するナロー光源の発光強度ｂｌＮ［ｑ］［ｐ］を高める。その後、本処理フローが終了される。
【００８９】
また、本処理フローが終了される際に、繰り返し処理部２２は、処理対象の分割領域ｄ
［ｑ］［ｐ］に対応するブロード光源の発光強度ｂｌＢ［ｑ］［ｐ］を決定する。具体的には、分割領域ｄ［ｑ］［ｐ］に対応するナロー光源の発光強度ｂｌＮ［ｑ］［ｐ］に基づいて、ブロード光源の発光強度ｂｌＢ［ｑ］［ｐ］が決定される。本実施例では、以下の式１７を用いて、発光強度ｂｌＢ［ｑ］［ｐ］が算出される。式１７によれば、発光強度ｂｌＮ［ｑ］［ｐ］と発光強度ｂｌＢ［ｑ］［ｐ］の和が一定に保たれる。そのため、発光強度ｂｌＮ［ｑ］［ｐ］の変化に伴う画面の輝度の変化を抑制することができる。
ｂｌＢ［ｑ］［ｐ］＝１−ｂｌＮ［ｑ］［ｐ］  ・・・（式１７）
【００９０】
図１４のＳ４０５の処理フローについて、図１５を用いて説明する。図１５は、図１４のＳ４０５の処理フローの一例を示すフローチャートである。
【００９１】
まず、Ｓ１１にて、繰り返し処理部２２は、変数ｉ，ｊを０に初期化する。そして、Ｓ１２にて、繰り返し処理部２２は、パターンｄｐ［ｊ］［ｉ］＝２か否かを判断する。パターンｄｐ［ｊ］［ｉ］＝２である場合には、Ｓ１７に処理が進められ、パターンｄｐ［ｊ］［ｉ］≠２である場合には、Ｓ１３に処理が進められる。
【００９２】
Ｓ１３にて、繰り返し処理部２２は、変数ｉが閾値Ｉ未満であるか否かを判断する。変数ｉが閾値Ｉ未満である場合には、Ｓ１４に処理が進められる。Ｓ１４にて、繰り返し処理部２２は、変数ｉを１インクリメントする。そして、Ｓ１２に処理が戻される。変数ｉが閾値Ｉ以上である場合には、Ｓ１５に処理が進められる。閾値Ｉは、水平方向における分割領域の数である。
【００９３】
Ｓ１５にて、繰り返し処理部２２は、変数ｊが閾値Ｊ未満であるか否かを判断する。変数ｊが閾値Ｊ未満である場合には、Ｓ１６に処理が進められる。Ｓ１６にて、繰り返し処理部２２は、変数ｊを１インクリメントし、変数ｉを０に初期化する。そして、Ｓ１２に処理が戻される。変数ｊが閾値Ｊ以上である場合には、本処理フローが終了される。閾値Ｊは、垂直方向における分割領域の数である。
【００９４】
Ｓ１７にて、繰り返し処理部２２は、ナロー光源の発光強度ｂｌＮ［ｊ］［ｉ］を低減する。本実施例では、以下の式１８を用いて、発光強度ｂｌＮ［ｊ］［ｉ］が低減される。式１８の「ａｄｄ」は定数である。本実施例では、定数ａｄｄ＝０．０１が使用される。その後、Ｓ１８に処理が進められる。なお、定数ａｄｄ（＞０）は０．０１より小さくても大きくてもよい。定数ａｄｄが小さいほど高精度に発光強度を制御できる。
ｂｌＮ［ｊ］［ｉ］＝ｂｌＮ［ｊ］［ｉ］−ａｄｄ  ・・・（式１８）
【００９５】
Ｓ１８にて、繰り返し処理部２２は、分割領域ｄ［ｊ］［ｉ］のナロー光源からの光が表示に影響を与える分割領域である影響領域について、式１６が満たされるか否かを判断する。全ての影響領域について式１６が満たされる場合には、Ｓ１７に処理が戻され、少なくとも１つの影響領域について式１６が満たされない場合には、Ｓ１９に処理が進められる。影響領域は、例えば、発光強度ｂｌＮ［ｊ］［ｉ］の変化によって式１６の右辺の結果が変化する分割領域、分割領域ｄ［ｊ］［ｉ］の周辺の分割領域、等である。ここで、分割領域ｄ［ｊ］［ｉ］の周辺の分割領域が影響領域として使用される場合を考える。本実施例では、分割領域ｄ［ｊ］［ｉ］に隣接する分割領域が、分割領域ｄ［ｊ］［ｉ］の周辺の分割領域として使用される。そのため、分割領域ｄ［０］［０］のナロー光源からの光が表示に影響を与える分割領域である影響領域として、分割領域ｄ［０］［１］，ｄ［１］［０］，ｄ［１］［１］が使用される。
【００９６】
Ｓ１９では、繰り返し処理部２２は、以下の式１９を用いて、発光強度ｂｌＮ［ｊ］［ｉ］を高める。その後、Ｓ１３に処理が進められる。式１９によれば、前回決定された値に、発光強度ｂｌＮ［ｊ］［ｉ］が戻される。そして、全ての影響領域について式１６が満たされる発光強度ｂｌＮ［ｊ］［ｉ］の最小値が、発光強度ｂｌＮ［ｊ］［ｉ］として得られる。
ｂｌＮ［ｊ］［ｉ］＝ｂｌＮ［ｊ］［ｉ］＋ａｄｄ  ・・・（式１９）
【００９７】
図１４のＳ４０６の処理フローについて、図１６を用いて説明する。図１６は、図１４のＳ４０６の処理フローの一例を示すフローチャートである。
【００９８】
まず、Ｓ２１にて、繰り返し処理部２２は、変数ｉ，ｊを０に初期化する。そして、Ｓ２２にて、繰り返し処理部２２は、パターンｄｐ［ｊ］［ｉ］＝２か否かを判断する。パターンｄｐ［ｊ］［ｉ］＝２である場合には、Ｓ２７に処理が進められ、パターンｄｐ［ｊ］［ｉ］≠２である場合には、Ｓ２３に処理が進められる。
【００９９】
Ｓ２３にて、繰り返し処理部２２は、変数ｉが閾値Ｉ未満であるか否かを判断する。変数ｉが閾値Ｉ未満である場合には、Ｓ２４に処理が進められる。Ｓ２４にて、繰り返し処理部２２は、変数ｉを１インクリメントする。そして、Ｓ２２に処理が戻される。変数ｉが閾値Ｉ以上である場合には、Ｓ２５に処理が進められる。
【０１００】
Ｓ２５にて、繰り返し処理部２２は、変数ｊが閾値Ｊ未満であるか否かを判断する。変数ｊが閾値Ｊ未満である場合には、Ｓ２６に処理が進められる。Ｓ２６にて、繰り返し処理部２２は、変数ｊを１インクリメントし、変数ｉを０に初期化する。そして、Ｓ２２に処理が戻される。変数ｊが閾値Ｊ以上である場合には、本処理フローが終了される。
【０１０１】
Ｓ２７にて、繰り返し処理部２２は、ナロー光源の発光強度ｂｌＮ［ｊ］［ｉ］を高める。本実施例では、式１９を用いて、発光強度ｂｌＮ［ｊ］［ｉ］が高められる。そして、Ｓ２８にて、繰り返し処理部２２は、分割領域ｄ［ｊ］［ｉ］のナロー光源からの光が表示に影響を与える分割領域である影響領域について、式１６が満たされるか否かを判断する。全ての影響領域について式１６が満たされる場合には、Ｓ２３に処理が進められ、少なくとも１つの影響領域について式１６が満たされない場合には、Ｓ２９に処理が進められる。
【０１０２】
Ｓ２９では、繰り返し処理部２２は、ナロー光源の発光強度ｂｌＮ［ｊ］［ｉ］＝１か否かを判断する。発光強度ｂｌＮ［ｊ］［ｉ］の取り得る値の最大値は１であるため、発光強度ｂｌＮ［ｊ］［ｉ］＝１の場合にはＳ２３に処理が進められる。そして、発光強度ｂｌＮ［ｊ］［ｉ］≠１の場合にはＳ２７に処理が戻され、発光強度ｂｌＮ［ｊ］［ｉ］が再度高められる。
【０１０３】
図１４のＳ４０８の処理フローについて、図１７を用いて説明する。図１７は、図１４のＳ４０８の処理フローの一例を示すフローチャートである。
【０１０４】
まず、Ｓ３１にて、繰り返し処理部２２は、変数ｉ，ｊを０に初期化する。そして、Ｓ２２にて、繰り返し処理部２２は、パターンｄｐ［ｊ］［ｉ］＝３か否かを判断する。パターンｄｐ［ｊ］［ｉ］＝３である場合には、Ｓ３７に処理が進められ、パターンｄｐ［ｊ］［ｉ］≠３である場合には、Ｓ３３に処理が進められる。
【０１０５】
Ｓ３３にて、繰り返し処理部２２は、変数ｉが閾値Ｉ未満であるか否かを判断する。変数ｉが閾値Ｉ未満である場合には、Ｓ３４に処理が進められる。Ｓ３４にて、繰り返し処理部２２は、変数ｉを１インクリメントする。そして、Ｓ３２に処理が戻される。変数ｉが閾値Ｉ以上である場合には、Ｓ３５に処理が進められる。
【０１０６】
Ｓ３５にて、繰り返し処理部２２は、変数ｊが閾値Ｊ未満であるか否かを判断する。変数ｊが閾値Ｊ未満である場合には、Ｓ３６に処理が進められる。Ｓ３６にて、繰り返し処理部２２は、変数ｊを１インクリメントし、変数ｉを０に初期化する。そして、Ｓ３２に処理が戻される。変数ｊが閾値Ｊ以上である場合には、本処理フローが終了される。
【０１０７】
Ｓ３７にて、繰り返し処理部２２は、ナロー光源の発光強度ｂｌＮ［ｊ］［ｉ］を高める。本実施例では、式１９を用いて、発光強度ｂｌＮ［ｊ］［ｉ］が高められる。そして、Ｓ３８にて、繰り返し処理部２２は、分割領域ｄ［ｊ］［ｉ］のナロー光源からの光が表示に影響を与える分割領域である影響領域について、式１６が満たされるか否かを判断する。全ての影響領域について式１６が満たされる場合には、Ｓ３３に処理が進められ、少なくとも１つの影響領域について式１６が満たされない場合には、Ｓ３９に処理が進められる。
【０１０８】
Ｓ３９では、繰り返し処理部２２は、ナロー光源の発光強度ｂｌＮ［ｊ］［ｉ］＝１か否かを判断する。発光強度ｂｌＮ［ｊ］［ｉ］の取り得る値の最大値は１であるため、発光強度ｂｌＮ［ｊ］［ｉ］＝１の場合にはＳ３３に処理が進められる。そして、発光強度ｂｌＮ［ｊ］［ｉ］≠１の場合にはＳ３７に処理が戻され、発光強度ｂｌＮ［ｊ］［ｉ］が再度高められる。
【０１０９】
図１７から、Ｓ４０８の処理の方法は、Ｓ４０６の処理の方法と同様であることがわかる。Ｓ４１０の処理の方法もＳ４０６の処理の方法と同様であるため、Ｓ４１０の処理の方法についての説明は省略する。
【０１１０】
図１４の処理フローによれば、画像データの彩度を正確に表示するために最低限必要な発光強度を、各ナロー光源の発光強度として得ることができる。そのため、ナロー光の光量を低減することができ、ナロー光に起因した知覚色の個人差を低減することができる。
【０１１１】
画像処理部１０３は、入力画像データＩに所定の画像処理を施すことにより、所定の画像処理が施された後の画像データＩ’を生成する。本実施例では、所定の画像処理として、光源の発光強度が基準の発光強度から変化したことによる画面の輝度や色の変化を低減する処理を行う。そして、画像処理部１０３は、画像データＩ’を液晶パネル１０６に出力する。なお、所定の画像処理は上記処理に限らない。所定の画像処理として、ぼかし処理、エッジ強調処理、色変換処理、輝度変換処理、等が行われてもよい。
【０１１２】
図１８は、画像処理部１０３の構成の一例を示すブロック図である。画像処理部１０３は、ＸＹＺ変換部３１、変換行列生成部３２、及び、Ｒ’Ｇ’Ｂ’変換部３３を有する。
【０１１３】
ＸＹＺ変換部３１は、入力画像データＩの各画素値（ＲＧＢ値）をＸＹＺ値に変換する。特徴量取得部１０１のｘｙ変換部１１と同様に、式１，２〜４を用いて、ＲＧＢ値がＸＹＺ値に変換される。
【０１１４】
変換行列生成部３２は、発光強度決定部１０２で決定された各光源の発光強度に基づいて、ＸＹＺ値を画像データＩ’のＲＧＢ値に変換する変換行列ｉＭＮを生成する。変換行列ｉＭＮは、画素毎に決定されてもよいし、分割領域毎に決定されてもよいし、分割領域とは異なる領域毎に決定されてもよい。本実施例では、変換行列生成部３２は、発光強度
決定部１０２で決定された発光強度で各光源が発光した場合におけるバックライトモジュール１０５の発光色の情報として、以下の構造を有する情報を生成する。即ち、赤色（Ｒ）、緑色（Ｇ）、及び、青色（Ｂ）のそれぞれについて、その色成分に対応するＸＹＺ値が得られる。以後、Ｇに対応するＹ値を「ＢＬＸＹＺ［Ｇ］．Ｙ」と記載する。他のＹ値についても、同様の表現方法で表現する。Ｘ値やＺ値についても、同様の表現方法で表現する。
｛
ｄｏｕｂｌｅ  Ｘ；
ｄｏｕｂｌｅ  Ｙ；
ｄｏｕｂｌｅ  Ｚ；
｝ＢＬＸＹＺ［Ｒ／Ｇ／Ｂ］；
【０１１５】
変換行列生成部３２は、変換行列ｉＭＮとして、以下の逆行列を生成する。
【数２】
2017083572.tif 000004
【０１１６】
Ｒ’Ｇ’Ｂ’変換部３３は、ＸＹＺ変換部３１によって得られたＸＹＺ値と、変換行列生成部３２によって得られた変換行列ｉＭＮとから、画像データＩ’のＲＧＢ値（Ｒ’，Ｇ’，Ｂ’）を算出する。具体的には、以下の式２０を用いて、ＲＧＢ値（Ｒ’，Ｇ’，Ｂ’）が算出される。入力画像データＩの各画素についてＲＧＢ値（Ｒ’，Ｇ’，Ｂ’）が算出されることにより、画像データＩ’が生成される。
【数３】
2017083572.tif 000005
【０１１７】
光源制御部１０４は、発光強度決定部１０２で決定された発光強度に、各光源の発光強度を制御する。具体的には、光源制御部１０４は、各光源について、発光強度決定部１０２で決定された発光強度に応じた駆動信号ｓを生成し、生成した駆動信号ｓをバックライトモジュール１０５に出力する。それにより、駆動信号ｓを用いて各光源が駆動され、発光強度決定部１０２で決定された発光強度に、各光源の発光強度が制御される。
【０１１８】
液晶パネル１０６は、液晶パネル１０６に入力された画像データＩ’に応じた透過率で、バックライトモジュール１０５からの光を透過する。それにより、画面に画像が表示される。
【０１１９】
本実施例の効果について、図１９を用いて説明する。図１９において、領域Ａは、画像データの彩度が或る程度高い画像領域であり、領域Ｂは、画像データの彩度が非常に高い画像領域である。具体的には、領域Ａの画像データの色度が、図１１の色度ａであり、領域Ｂの画像データの色度が、図１１の色度ｂである。領域Ａ，Ｂ以外の領域が、画像データの彩度が低い画像領域である。
【０１２０】
従来技術では、領域Ａが表示される分割領域ｄ［１］［０］，ｄ［１］［１］，ｄ［２］［０］，ｄ［２］［１］と、領域Ｂが表示される分割領域ｄ［０］［４］とにおいて、ナロー光源のみが点灯する。そして、残りの分割領域において、ブロード光源のみが点灯する。そのため、分割領域ｄ［０］［０］，ｄ［０］［１］，ｄ［０］［２］，ｄ［１］
［２］，ｄ［２］［２］からブロード光が領域Ａに漏れ込み、画像データの色が正確に表示されない領域が領域Ａ内に生じる。また、分割領域ｄ［０］［３］，ｄ［１］［３］，ｄ［１］［４］からブロード光が領域Ｂに漏れ込み、画像データの色が正確に表示されない領域が領域Ｂ内に生じる。即ち、領域Ａ，Ｂにおいて、表示色域の縮小が生じる。
【０１２１】
本実施例では、図１４の処理フローを行うことにより、画像データの彩度を正確に表示するために最低限必要な発光強度以上の発光強度に、各ナロー光源の発光強度が制御される。例えば、分割領域ｄ［２］［０］に対応するナロー光源の発光強度ｂｌＮ［ｑ］［ｐ］として１が設定される（Ｓ４０３）。そして、他の分割領域の発光強度が目標強度よりも高い値に適宜高められる（Ｓ４０６、Ｓ４０８、及び、Ｓ４１０）。具体的には、領域Ａまたは領域Ｂが表示される分割領域ｄ［１］［０］，ｄ［１］［１］，ｄ［２］［１］，ｄ［０］［４］と、それらの周辺の分割領域とについて、ナロー光源の発光強度が高められる（Ｓ４０６とＳ４０８）。それにより、ブロード光が領域Ａ，Ｂに漏れ込んだとしても、領域Ａ，Ｂにおいて、画像データの彩度を正確に表示することができる。また、本実施例では、ブロード光源も点灯されるため、知覚色の個人差を低減することもできる。
【０１２２】
以上述べたように、本実施例によれば、部分領域間におけるブロード光の漏れの影響を考慮して、ナロー光源の発光強度と、ブロード光源の発光強度とが制御される。それにより、部分領域間におけるブロード光の漏れに起因した表示色域の縮小を抑制することができ、表示色域の拡大と、知覚色の個人差の低減とを高精度に両立することができる。
【０１２３】
＜実施例２＞
以下、本発明の実施例２について説明する。実施例１では、全ての部分領域について同じ方法でナロー光源の発光強度を決定する例を説明した。しかしながら、部分領域間におけるブロード光の漏れに起因した表示色域の縮小は、画像データの彩度が高い画像領域と、画像データの彩度が低い画像領域との境界の表示位置とその周辺で目立ち、それ以外の領域ではあまり目立たない。そこで、本実施例では、画像データの彩度が高い画像領域と、画像データの彩度が低い画像領域との境界の表示位置に対応する部分領域についてのみ、実施例１と同様の方法でナロー光源の発光強度を決定する。それにより、表示色域の拡大と、知覚色の個人差の低減とを高精度に両立することができるだけでなく、処理負荷を低減することもできる。なお、以下では、実施例１と異なる構成や処理について詳しく説明し、実施例１と同様の構成や処理についての説明は省略する。
【０１２４】
図２０は、本実施例に係る画像表示装置２００の構成の一例を示すブロック図である。画像表示装置２００は、特徴量取得部１０１、境界検出部２０１、発光強度決定部２０２、画像処理部１０３、光源制御部１０４、バックライトモジュール１０５、及び、液晶パネル１０６、を有する。図２０において、実施例１（図１）と同じ機能部には、実施例１と同じ符号が付されている。
【０１２５】
境界検出部２０１は、入力画像データＩに基づいて、画像データの彩度が高い画像領域と、画像データの彩度が低い画像領域との境界を検出する。本実施例では、境界検出部２０１は、各分割領域ｄ［ｑ］［ｐ］のｘｙヒストグラムＨ［ｑ］［ｐ］に基づいて、上記境界の表示位置に対応する分割領域を検出する。図２１は、境界検出部２０１の構成の一例を示すブロック図である。境界検出部２０１は、彩度判断部４１と境界判断部４２を有する。
【０１２６】
彩度判断部４１は、ｘｙヒストグラムＨ［ｑ］［ｐ］に基づいて、彩度判断結果ｓａｔＦｌｇ［ｑ］［ｐ］を取得する。本実施例では、複数の分割領域のそれぞれについて、彩度判断結果が取得される。彩度判断結果ｓａｔＦｌｇ［ｑ］［ｐ］は、画像データの彩度が高い画像領域が分割領域ｄ［ｑ］［ｐ］に表示されるか否かを表す。画像データの彩度
が高い画像領域が分割領域ｄ［ｑ］［ｐ］に表示される場合には、彩度判断結果ｓａｔＦｌｇ［ｑ］［ｐ］＝１が得られる。画像データの彩度が高い画像領域が分割領域ｄ［ｑ］［ｐ］に表示されない場合には、彩度判断結果ｓａｔＦｌｇ［ｑ］［ｐ］＝０が得られる。具体的には、彩度判断部４１は、ブロード光のみで実現される表示色域外の色度を画像データの色度として有する画素の総数が閾値ｓａｔＴｈ以上である分割領域を、画像データの彩度が高い画像領域が表示される分割領域として検出する。そして、彩度判断部４１は、それ以外の分割領域を、画像データの彩度が高い画像領域が表示されない分割領域として検出する。
【０１２７】
彩度判断部４１の処理フローについて、図２２を用いて説明する。図２２は、彩度判断部４１の処理フローの一例を示すフローチャートである。彩度判断部４１は、複数の分割領域のそれぞれについて、図２２に示す処理フローを実行する。
【０１２８】
まず、Ｓ５０１にて、彩度判断部４１は、変数ｘｃｎｔ、変数ｙｃｎｔ、及び、総和ｓａｔＳｕｍを０に初期化する。総和ｓａｔＳｕｍは、ブロード光のみで実現される表示色域外の色度を画像データの色度として有する画素の総数である。
【０１２９】
次に、Ｓ５０２にて、彩度判断部４１は、変数ｘｃｎｔが閾値ｃｘＭａｘよりも大きいか否かを判断する。変数ｘｃｎｔが閾値ｃｘＭａｘ以下である場合には、Ｓ５０３に処理が進められ、変数ｘｃｎｔが閾値ｃｘＭａｘよりも大きい場合には、Ｓ５０６に処理が進められる。
【０１３０】
Ｓ５０３にて、彩度判断部４１は、ｘカテゴリ値ｃｘ＝ｘｃｎｔと、ｙカテゴリ値ｃｙ＝ｙｃｎｔとの組み合わせに対応する色度（ｘｙ値）が、ブロード光のみで実現される表示色域外の色度であるか否かを判断する。ｘカテゴリ値ｃｘ＝ｘｃｎｔと、ｙカテゴリ値ｃｙ＝ｙｃｎｔとの組み合わせに対応する色度が、ブロード光のみで実現される表示色域外の色度である場合には、Ｓ５０４に処理が進められる。ｘカテゴリ値ｃｘ＝ｘｃｎｔと、ｙカテゴリ値ｃｙ＝ｙｃｎｔとの組み合わせに対応する色度が、ブロード光のみで実現される表示色域内の色度である場合には、Ｓ５０５に処理が進められる。
【０１３１】
Ｓ５０４にて、彩度判断部４１は、総和ｓａｔＳｕｍに度数Ｈ［ｑ］［ｐ］［ｘｃｎｔ］［ｙｃｎｔ］を加算することにより、総和ｓａｔＳｕｍを更新する。その後、Ｓ５０５に処理が進められる。
【０１３２】
Ｓ５０５にて、彩度判断部４１は、変数ｘｃｎｔを１インクリメントする。その後、Ｓ５０２に処理が戻される。
【０１３３】
Ｓ５０６にて、彩度判断部４１は、変数ｙｃｎｔが閾値ｃｙＭａｘよりも大きいか否かを判断する。変数ｙｃｎｔが閾値ｃｙＭａｘ以下である場合には、Ｓ５０７に処理が進められ、変数ｙｃｎｔが閾値ｃｙＭａｘよりも大きい場合には、Ｓ５０８に処理が進められる。
【０１３４】
Ｓ５０７にて、彩度判断部４１は、変数ｘｃｎｔを０に初期化し、変数ｙｃｎｔを１インクリメントする。その後、Ｓ５０３に処理が進められる。
【０１３５】
Ｓ５０８にて、彩度判断部４１は、総和ｓａｔＳｕｍが閾値ｓａｔＴｈ以上であるか否かを判断する。総和ｓａｔＳｕｍが閾値ｓａｔＴｈ以上である場合には、Ｓ５０９にて、彩度判断部４１は、ｓａｔＦｌｇ［ｑ］［ｐ］＝１を設定する。そして、本処理フローが終了される。総和ｓａｔＳｕｍが閾値ｓａｔＴｈ未満である場合には、Ｓ５１０にて、彩度判断部４１は、ｓａｔＦｌｇ［ｑ］［ｐ］＝０を設定する。そして、本処理フローが終
了される。
【０１３６】
境界判断部４２は、彩度判断結果ｓａｔＦｌｇ［ｑ］［ｐ］に基づいて、境界判断結果ｂｏｒＦｌｇ［ｑ］［ｐ］を取得する。本実施例では、複数の分割領域のそれぞれについて、境界判断結果が取得される。境界判断結果ｂｏｒＦｌｇ［ｑ］［ｐ］は、分割領域ｄ［ｑ］［ｐ］が、画像データの彩度が高い画像領域と、画像データの彩度が低い画像領域との境界の表示位置に対応する分割領域であるか否かを表す。分割領域ｄ［ｑ］［ｐ］が上記境界の表示位置に対応する分割領域である場合には、境界判断結果ｂｏｒＦｌｇ［ｑ］［ｐ］＝１が得られる。分割領域ｄ［ｑ］［ｐ］が上記境界の表示位置に対応する分割領域でない場合には、境界判断結果ｂｏｒＦｌｇ［ｑ］［ｐ］＝０が得られる。
【０１３７】
境界判断部４２の処理フローについて、図２３を用いて説明する。図２３は、境界判断部４２の処理フローの一例を示すフローチャートである。
【０１３８】
まず、Ｓ６０１にて、境界判断部４２は、変数ｊを０に初期化する。次に、Ｓ６０２にて、境界判断部４２は、変数ｉを０に初期化する。
【０１３９】
そして、Ｓ６０３にて、境界判断部４２は、彩度判断結果ｓａｔＦｌｇ［ｊ］［ｉ］が１であるか否かを判断する。彩度判断結果ｓａｔＦｌｇ［ｊ］［ｉ］＝１の場合には、Ｓ６０４に処理が進められ、彩度判断結果ｓａｔＦｌｇ［ｊ］［ｉ］≠１の場合には、Ｓ６１０に処理が進められる。
【０１４０】
Ｓ６０４にて、境界判断部４２は、彩度判断結果ｓａｔＦｌｇ［ｑ］［ｐ］＝０の分割領域が分割領域ｄ［ｊ］［ｉ］の周辺に存在するか否かを判断する。本実施例では、彩度判断結果ｓａｔＦｌｇ［ｑ］［ｐ］＝０の分割領域が分割領域ｄ［ｊ］［ｉ］に隣接するか否かが判断される。彩度判断結果ｓａｔＦｌｇ［ｑ］［ｐ］＝０の分割領域が分割領域ｄ［ｊ］［ｉ］の周辺に存在する場合には、Ｓ６０５に処理が進められる。彩度判断結果ｓａｔＦｌｇ［ｑ］［ｐ］＝０の分割領域が分割領域ｄ［ｊ］［ｉ］の周辺に存在しない場合には、Ｓ６１１に処理が進められる。
【０１４１】
Ｓ６０５にて、境界判断部４２は、境界判断結果ｂｏｒＦｌｇ［ｊ］［ｉ］＝１を設定する。その後、Ｓ６０６に処理が進められる。
【０１４２】
Ｓ６１１にて、境界判断部４２は、境界判断結果ｂｏｒＦｌｇ［ｊ］［ｉ］＝０を設定する。その後、Ｓ６０６に処理が進められる。
【０１４３】
Ｓ６０６にて、境界判断部４２は、変数ｉが閾値Ｉ未満であるか否かを判断する。変数ｉが閾値Ｉ未満である場合には、Ｓ６０８に処理が進められる。Ｓ６０８にて、境界判断部４２は、変数ｉを１インクリメントする。そして、Ｓ６０３に処理が戻される。変数ｉが閾値Ｉ以上である場合には、Ｓ６０７に処理が進められる。
【０１４４】
Ｓ６０７にて、境界判断部４２は、変数ｊが閾値Ｊ未満であるか否かを判断する。変数ｊが閾値Ｊ未満である場合には、Ｓ６０９に処理が進められる。Ｓ６０９にて、境界判断部４２は、変数ｊを１インクリメントする。そして、Ｓ６０２に処理が戻される。変数ｊが閾値Ｊ以上である場合には、本処理フローが終了される。
【０１４５】
Ｓ６１０にて、境界判断部４２は、彩度判断結果ｓａｔＦｌｇ［ｑ］［ｐ］＝１の分割領域が分割領域ｄ［ｊ］［ｉ］の周辺に存在するか否かを判断する。本実施例では、彩度判断結果ｓａｔＦｌｇ［ｑ］［ｐ］＝１の分割領域が分割領域ｄ［ｊ］［ｉ］に隣接するか否かが判断される。彩度判断結果ｓａｔＦｌｇ［ｑ］［ｐ］＝１の分割領域が分割領域
ｄ［ｊ］［ｉ］の周辺に存在する場合には、Ｓ６０５に処理が進められる。彩度判断結果ｓａｔＦｌｇ［ｑ］［ｐ］＝１の分割領域が分割領域ｄ［ｊ］［ｉ］の周辺に存在しない場合には、Ｓ６１１に処理が進められる。
【０１４６】
なお、上記境界の表示位置に対応する分割領域の検出方法は、特に限定されない。例えば、画素単位で境界が検出された後、検出された境界の表示位置を含む分割領域が、境界の表示位置に対応する分割領域として検出されてもよい。検出された境界の表示位置からの距離が閾値以下である分割領域が、境界の表示位置に対応する分割領域として検出されてもよい。
【０１４７】
発光強度決定部２０２は、境界判断結果ｂｏｒＦｌｇ［ｑ］［ｐ］＝１の分割領域について、発光強度決定部１０２の処理と同様の処理を行うことにより、ナロー光源の発光強度ｂｌＮ［ｑ］［ｐ］と、ブロード光源の発光強度ｂｌＢ［ｑ］［ｐ］とを決定する。発光強度決定部２０２は、境界判断結果ｂｏｒＦｌｇ［ｑ］［ｐ］＝０の分割領域については、他の方法（所定の方法）で発光強度ｂｌＮ［ｑ］［ｐ］，ｂｌＢ［ｑ］［ｐ］を決定する。なお、境界判断結果ｂｏｒＦｌｇ［ｑ］［ｐ］＝０の分割領域に対応する光源の発光強度の決定方法は、特に限定されない。本実施例では、境界判断結果ｂｏｒＦｌｇ［ｑ］［ｐ］＝０の高彩度領域においてブロード光源が使用されずにナロー光源が使用されるように、当該高彩度領域の発光強度ｂｌＮ［ｑ］［ｐ］，ｂｌＢ［ｑ］［ｐ］が決定される。そして、境界判断結果ｂｏｒＦｌｇ［ｑ］［ｐ］＝０の低彩度領域においてナロー光源が使用されずにブロード光源が使用されるように、当該低彩度領域の発光強度ｂｌＮ［ｑ］［ｐ］，ｂｌＢ［ｑ］［ｐ］が決定される。具体的には、境界判断結果ｂｏｒＦｌｇ［ｑ］［ｐ］＝０の高彩度領域について、発光強度ｂｌＮ［ｑ］［ｐ］＝１と、発光強度ｂｌＢ［ｑ］［ｐ］＝０とが決定される。そして、境界判断結果ｂｏｒＦｌｇ［ｑ］［ｐ］＝０の低彩度領域について、発光強度ｂｌＮ［ｑ］［ｐ］＝０と、発光強度ｂｌＢ［ｑ］［ｐ］＝１とが決定される。
【０１４８】
以上述べたように、本実施例によれば、画像データの彩度が高い画像領域と、画像データの彩度が低い画像領域との境界の表示位置に対応する部分領域についてのみ、実施例１と同様の方法でナロー光源の発光強度を決定する。それにより、表示色域の拡大と、知覚色の個人差の低減とを高精度に両立することができるだけでなく、処理負荷を低減することもできる。
【０１４９】
＜実施例３＞
以下、本発明の実施例３について説明する。本実施例では、画像データの彩度が高い画像領域と、画像データの彩度が低い画像領域との境界の表示位置に対応する部分領域において、ブロード光源を使用せずに、ナロー光源を使用する。それにより、表示色域の拡大と、知覚色の個人差の低減とを高精度に両立することができるだけでなく、実施例２よりも処理負荷を低減することもできる。なお、以下では、実施例１，２と異なる構成や処理について詳しく説明し、実施例１，２と同様の構成や処理についての説明は省略する。
【０１５０】
図２４は、本実施例に係る画像表示装置３００の構成の一例を示すブロック図である。画像表示装置３００は、特徴量取得部１０１、境界検出部２０１、発光強度決定部３０１、画像処理部１０３、光源制御部１０４、バックライトモジュール１０５、及び、液晶パネル１０６、を有する。図２４において、実施例２（図２０）と同じ機能部には、実施例２と同じ符号が付されている。
【０１５１】
発光強度決定部３０１は、境界判断結果ｂｏｒＦｌｇ［ｑ］［ｐ］＝１の分割領域について、ナロー光源が使用されずにブロード光源が使用されるように、ナロー光源の発光強度ｂｌＮ［ｑ］［ｐ］と、ブロード光源の発光強度ｂｌＢ［ｑ］［ｐ］とを決定する。具
体的には、発光強度決定部３０１は、境界判断結果ｂｏｒＦｌｇ［ｑ］［ｐ］＝１の分割領域について、発光強度ｂｌＮ［ｑ］［ｐ］＝１と、発光強度ｂｌＢ［ｑ］［ｐ］＝０とを決定する。他の処理は、発光強度決定部２０２の処理と同じである。
【０１５２】
以上述べたように、本実施例によれば、画像データの彩度が高い画像領域と、画像データの彩度が低い画像領域との境界の表示位置に対応する部分領域において、ナロー光源のみが使用される。それにより、画像データの彩度が高い画像領域と、画像データの彩度が低い画像領域との境界の表示位置に対応する部分領域について、光源の発光強度を決定する処理の処理負荷を大きく低減することができる。そのため、表示色域の拡大と、知覚色の個人差の低減とを高精度に両立することができるだけでなく、実施例２よりも処理負荷を低減することもできる。
【０１５３】
＜実施例４＞
以下、本発明の実施例４について説明する。本実施例では、画像データの彩度が高い画素を入力画像データが含む場合にナロー光源のみを用い、画像データの彩度が高い画素を入力画像データが含まない場合にブロード光源のみを用いる。画像データの彩度が高い画素を入力画像データが含む場合にナロー光源のみを用いることにより、非常に小さい処理負荷で、画像データの色を正確に表示することができる。そして、画像データの彩度が高い画素を入力画像データが含まない場合にブロード光源のみを用いることにより、非常に小さい処理負荷で、知覚色の個人差を低減することができる。本実施例に係る技術は、画面単位で光源の発光強を制御する画像表示装置において好適に使用される。なお、以下では、実施例１〜３と異なる構成や処理について詳しく説明し、実施例１〜３と同様の構成や処理についての説明は省略する。
【０１５４】
図２５は、本実施例に係る画像表示装置４００の構成の一例を示すブロック図である。画像表示装置４００は、特徴量取得部４０１、高彩度画素判断部４０２、発光強度決定部４０３、画像処理部１０３、光源制御部１０４、バックライトモジュール１０５、及び、液晶パネル１０６、を有する。図２５において、実施例１（図１）と同じ機能部には、実施例１と同じ符号が付されている。
【０１５５】
特徴量取得部４０１は、実施例１の特徴量取得部１０１と同様に、入力画像データＩの特徴量を取得する。但し、特徴量取得部１０１が分割領域についての特徴量を取得するのに対し、特徴量取得部４０１が画面全体についての特徴量を取得する点で、両者は異なる。本実施例でも、特徴量としてｘｙヒストグラムが取得された場合の例を説明する。
【０１５６】
高彩度画素判断部４０２は、特徴量取得部４０１で取得されたｘｙヒストグラム（１画面分のｘｙヒストグラム）に基づいて、入力画像データＩが高彩度画素を含むか否かを判断する。高彩度画素は、画像データの彩度が高い画素であり、例えば、ブロード光だけでは画像データの色を正確に表示できない画素である。入力画像データＩが高彩度画素を含むか否かの判断方法は特に限定されない。例えば、１つの分割領域についての彩度判断部４１の処理と同様の処理により、入力画像データＩが高彩度画素を含むか否かを判断することができる。高彩度画素判断部４０２は、入力画像データＩが高彩度画素を含む場合に、高彩度画素判断結果ｓａｔＦｌｇ＝１を出力し、入力画像データＩが高彩度画素を含まない場合に、高彩度画素判断結果ｓａｔＦｌｇ＝０を出力する。
【０１５７】
発光強度決定部４０３は、高彩度画素判断結果ｓａｔＦｌｇに応じて、ナロー光源の発光強度と、ブロード光源の発光強度とを決定する。具体的には、高彩度画素判断結果ｓａｔＦｌｇ＝１の場合に、ナロー光源の発光強度として１が決定され、ブロード光源の発光強度として０が決定される。そして、高彩度画素判断結果ｓａｔＦｌｇ＝０の場合に、ナロー光源の発光強度として０が決定され、ブロード光源の発光強度として１が決定される
。なお、特徴量取得部４０１によって取得されたｘｙヒストグラムがさらに使用され、高彩度画素判断結果ｓａｔＦｌｇ＝１の場合に、実施例１と同様の方法で、ナロー光源の発光強度と、ブロード光源の発光強度とが決定されてもよい。即ち、画像データの彩度を正確に表示するために最低限必要な発光強度が、ナロー光源の発光強度として決定されてもよい。
【０１５８】
以上述べたように、本実施例によれば、画像データの彩度が高い画素を入力画像データが含む場合にナロー光源（またはナロー光源とブロード光源の両方）が使用される。そして、画像データの彩度が高い画素を入力画像データが含まない場合にブロード光源のみが使用される。それにより、非常に小さい処理負荷で、画像データの色を正確に表示したり、知覚色の個人差を低減したりすることができる。
【０１５９】
＜実施例５＞
以下、本発明の実施例５について説明する。本実施例では、画像データの画素値と、目標強度との対応関係を示す情報が予め用意される。そのような情報を使用することにより、実施例１と同様の処理結果を、実施例１よりもはるかに小さい処理負荷で得ることができる。例えば、入力画像データの色度（ｘｙ値）を算出する処理を省略して、実施例１と同様の処理結果を得ることができる。なお、以下では、実施例１〜４と異なる構成や処理について詳しく説明し、実施例１〜４と同様の構成や処理についての説明は省略する。
【０１６０】
図２６は、本実施例に係る画像表示装置５００の構成の一例を示すブロック図である。画像表示装置５００は、特徴量取得部５０１、発光強度決定部５０２、画像処理部１０３、光源制御部１０４、バックライトモジュール１０５、及び、液晶パネル１０６、を有する。図２６において、実施例１（図１）と同じ機能部には、実施例１と同じ符号が付されている。
【０１６１】
特徴量取得部５０１は、実施例１の特徴量取得部１０１と同様の処理を行う。但し、本実施例では、特徴量として、画素値（ＲＧＢ値）のヒストグラムであるＲＧＢヒストグラムが取得される。以後、分割領域ｄ［ｑ］［ｐ］のＲＧＢヒストグラムを、「Ｈ＿ＲＧＢ［ｑ］［ｐ］」と記載する。そして、Ｒ値＝ｒ、Ｇ値＝ｇ、及び、Ｂ値＝ｂの組み合わせに対応するＲＧＢヒストグラムＨ＿ＲＧＢ［ｑ］［ｐ］の度数を、「Ｈ＿ＲＧＢ［ｑ］［ｐ］［ｒ］［ｇ］［ｂ］」と記載する。例えば、分割領域ｄ［０］［０］に、入力画像データＩのＲＧＢ値（Ｒ，Ｇ，Ｂ）＝（２００，０，０）の画素が１００画素表示される場合には、度数Ｈ＿ＲＧＢ［０］［０］［２００］［０］［０］＝１００が得られる。なお、実施例１で取得される特徴量と同様に、本実施例で取得される特徴量は特に限定されない。本実施例で取得される特徴量は、実施例１で取得される特徴量と同じであってもよい。
【０１６２】
発光強度決定部５０２は、複数の分割領域のそれぞれについて、複数の分割領域のそれぞれについて、ナロー光源の発光強度と、ブロード光源の発光強度とを決定する。本実施例では、特徴量取得部５０１によって取得された特徴量（ＲＧＢヒストグラムＨ＿ＲＧＢ［ｑ］［ｐ］）に基づいて、ナロー光源の発光強度ｂｌＮ［ｑ］［ｐ］と、ブロード光源の発光強度ｂｌＢ［ｑ］［ｐ］とが決定される。
【０１６３】
図２７は、発光強度決定部５０２の構成の一例を示すブロック図である。発光強度決定部５０２は、目標強度決定部５１と、繰り返し処理部２２とを有する。
【０１６４】
目標強度決定部５１は、分割領域ｄ［ｑ］［ｐ］に表示される画像データと、不図示の記憶部が記憶している目標強度情報とに基づいて、分割領域ｄ［ｑ］［ｐ］の目標強度Ｔ［ｑ］［ｐ］を決定する。本実施例では、ＲＧＢヒストグラムＨ＿ＲＧＢ［ｑ］［ｐ］と
、目標強度情報とに基づいて、目標強度Ｔ［ｑ］［ｐ］が決定される。目標強度情報は、画像データの画素値と、目標強度との対応関係を示す情報（テーブル、関数、等）である。目標強度決定部５１は、複数の分割領域ｄ［ｑ］［ｐ］のそれぞれについて目標強度Ｔ［ｑ］［ｐ］を決定する。
【０１６５】
目標強度決定部５１の処理フローについて、図２８を用いて説明する。図２８は、目標強度決定部５１の処理フローの一例を示すフローチャートである。具体的には、図２８は、目標強度Ｔ［ｑ］［ｐ］を決定する処理フローの一例を示す。目標強度決定部５１は、複数の分割領域のそれぞれについて、図２８に示す処理フローを実行する。
【０１６６】
まず、Ｓ７０１にて、目標強度決定部５１は、変数ｉと目標強度Ｔ［ｑ］［ｐ］を、０に初期化する。変数ｉは、度数Ｈ＿ＲＧＢ［ｑ］［ｐ］［ｒ］［ｇ］［ｂ］＞０であるＲＧＢ値を選択するための変数である。次に、Ｓ７０２にて、目標強度決定部５１は、度数Ｈ＿ＲＧＢ［ｑ］［ｐ］［ｒ］［ｇ］［ｂ］＞０である全てのＲＧＢ値について処理が行われたか否かを判断する。具体的には、変数ｉが閾値Ｎより大きいか否かが判断される。閾値Ｎは、度数Ｈ＿ＲＧＢ［ｑ］［ｐ］［ｒ］［ｇ］［ｂ］＞０であるＲＧＢ値の数である。変数ｉが閾値Ｎより大きい場合には、本処理フローが終了され、変数ｉが閾値Ｎ以下である場合には、Ｓ７０３に処理が進められる。
【０１６７】
Ｓ７０３にて、目標強度決定部５１は、度数Ｈ＿ＲＧＢ［ｑ］［ｐ］［ｒ］［ｇ］［ｂ］が閾値ｔｈ以上であるか否かを判断する。度数Ｈ＿ＲＧＢ［ｑ］［ｐ］［ｒ］［ｇ］［ｂ］が閾値ｔｈ以上である場合には、Ｓ７０４に処理が進められ、度数Ｈ＿ＲＧＢ［ｑ］［ｐ］［ｒ］［ｇ］［ｂ］が閾値ｔｈ未満である場合には、Ｓ７０７に処理が進められる。
【０１６８】
Ｓ７０４にて、目標強度決定部５１は、変数ｉに対応するＲＧＢ値と、目標強度情報とに基づいて、仮目標強度ｔＴを決定する。その後、Ｓ７０５に処理が進められる。図２９は、目標強度情報である強度テーブルの一例を示す。図２９の強度テーブルは、ＲＧＢ値、ナロー光の強度（目標強度）、及び、ブロード光の強度の対応関係を示す。Ｓ７０４では、変数ｉに対応するＲＧＢ値が選択される。そして、選択されたＲＧＢ値に対応するナロー光の強度が、仮目標強度ｔＴとして、図２９の強度テーブルから取得される。ここで、変数ｉに対応するＲＧＢ値（Ｒ，Ｇ，Ｂ）＝（２００，５０，５０）の場合を考える。この場合、図２９の強度テーブルから０．９が仮目標強度ｔＴとして取得される。なお、目標強度情報は、ブロード光の強度を示さなくてもよい。また、入力画像データＩの取り得る全てのＲＧＢ値について目標強度を示す強度テーブルが使用されてもよいし、入力画像データＩの取り得る一部のＲＧＢ値について目標強度を示す強度テーブルが使用されてもよい。強度テーブルで示されていないＲＧＢ値に対応する目標強度は、例えば、補間処理により算出することができる。
【０１６９】
Ｓ７０５にて、目標強度決定部５１は、仮目標強度ｔＴが目標強度Ｔ［ｑ］［ｐ］よりも大きいか否かを判断する。仮目標強度ｔＴが目標強度Ｔ［ｑ］［ｐ］よりも大きい場合には、Ｓ７０６に処理が進められ、仮目標強度ｔＴが目標強度Ｔ［ｑ］［ｐ］以下である場合には、Ｓ７０７に処理が進められる。
【０１７０】
Ｓ７０６にて、目標強度決定部５１は、目標強度Ｔ［ｑ］［ｐ］の値を仮目標強度ｔＴと同じ値に更新する。そして、Ｓ７０７に処理が進められる。
【０１７１】
Ｓ７０７にて、目標強度決定部５１は、変数ｉを１インクリメントする。その後、Ｓ７０２に処理が戻される。
【０１７２】
以上述べたように、本実施例によれば、画像データの画素値と、目標強度との対応関係を示す情報が予め用意される。そして、そのような情報を用いて目標強度が決定される。それにより、実施例１と同様の処理結果を、実施例１よりもはるかに小さい処理負荷で得ることができる。例えば、入力画像データの色度（ｘｙ値）を算出する処理を省略して、実施例１と同様の処理結果を得ることができる。
【０１７３】
＜実施例６＞
以下、本発明の実施例６について説明する。本実施例では、優先画像である入力画像と、非優先画像である所定のグラフィック画像とが配置された合成画像を表示する例を説明する。所定のグラフィック画像は特に限定されないが、本実施例では、所定のグラフィック画像として、メニュー画像、ステータス画像、等のＯＳＤ画像が使用される例を説明する。入力画像と所定のグラフィック画像との配置には、一方の画像の領域内に他方の画像を配置するＰｉｎＰ（Ｐｉｃｔｕｒｅ  ｉｎ  Ｐｉｃｔｕｒｅ）、一方の画像の領域外に他方の画像を配置するＰｏｕｔＰ（Ｐｉｃｔｕｒｅ  ｏｕｔ  Ｐｉｃｔｕｒｅ）、等がある。
【０１７４】
図３０は、本実施例に係る画像表示装置１１０１の構成の一例を示すブロック図である。画像表示装置１１０１は、バックライトモジュール１１０２、液晶パネル１１０３、特徴量取得部１１０４、発光強度決定部１１０５、強度推定部１１０６、補正係数決定部１１０７、及び、画像処理部１１０８を有する。さらに、画像表示装置１１０１は、ＯＳＤ合成部１１０９、ＯＳＤ位置指示部１１１０、及び、光源選択部１１１１を有する。
【０１７５】
バックライトモジュール１１０２は、複数の分割領域のそれぞれについて、ナロー光源とブロード光源とを有する。また、バックライトモジュール１１０２は、ナロー光源の発光とブロード光源の発光とを制御する制御回路、及び、ナロー光源から発せられた光とブロード光源から発せられた光とを拡散する光学ユニットを有する。本実施例では、複数の分割領域のそれぞれについて、ナロー光源とブロード光源の一方を選択することができる。バックライトモジュール１１０２では、複数の分割領域のそれぞれにおいて、光源選択部１１１１で選択された光源が、発光強度決定部１１０５で決定された発光強度で発光する。
【０１７６】
液晶パネル１１０３は、実施例１の液晶パネル１０６と同様の構成を有する。液晶パネル１１０３は、複数の液晶素子、各液晶素子を駆動する液晶ドライバ、及び、液晶パネル１１０３に入力された画像データに応じて液晶ドライバの処理を制御する制御基板を有する。
【０１７７】
ＯＳＤ合成部１１０９は、入力画像を表す入力画像データに、ＯＳＤ画像を表すＯＳＤ画像データ（グラフィック画像データ）を合成することにより、入力画像とＯＳＤ画像とが配置された合成画像を表す合成画像データを生成する。入力画像データは、画像表示装置１１０１に入力された画像データである。ＯＳＤ画像データは、画像表示装置１１０１の内部で生成された画像データであってもよいし、画像表示装置１１０１に入力された画像データであってもよい。ＯＳＤ合成部１１０９は、合成画像データを特徴量取得部１１０４に出力し、ＯＳＤ画像に関する情報であるＯＳＤ情報をＯＳＤ位置指示部１１１０に出力する。例えば、ＯＳＤ情報は、合成画像におけるＯＳＤ画像の領域に関する情報である。具体的には、ＯＳＤ情報は、ＯＳＤ画像の領域の始点座標と終点座標の組み合わせ、ＯＳＤ画像の領域の代表位置とサイズの組み合わせ、等である。代表位置は、領域の中心座標、領域の始点座標、領域の終点座標、等である。
【０１７８】
特徴量取得部１１０４は、ＯＳＤ合成部１１０９から出力された合成画像データの特徴量を取得する。本実施例では、特徴量取得部１１０４は、複数の分割領域のそれぞれにつ
いて、その分割領域に表示される画像データの特徴量を、合成画像データから取得する。本実施例では、特徴量として、画像データの輝度に関する輝度特徴量と、画像データの色に関する色特徴量とが取得される。なお、実施例１と同様に、特徴量は特に限定されない。輝度特徴量と色特徴量の両方を兼ねた特徴量が取得されてもよい。
【０１７９】
本実施例では、特徴量取得部１１０４は、分割領域に表示される画像データの階調値の最大値を、当該分割領域の輝度特徴量として取得する。具体的には、Ｒ値の最大値、Ｇ値の最大値、及び、Ｂ値の最大値のうち、最も大きい値が、輝度特徴量として取得される。例えば、Ｒ値の最大値＞Ｇ値の最大値＞Ｂ値の最大値である場合には、Ｒ値の最大値が輝度特徴量として取得される。特徴量取得部１１０４は、取得した輝度特徴量を、発光強度決定部１１０５に出力する。
【０１８０】
そして、本実施例では、特徴量取得部１１０４は、分割領域に表示される画像データから、画像データの色が白色に近い画素を無彩色画素として検出し、それ以外の画素を有彩色画素として検出する。そして、特徴量取得部１１０４は、分割領域に表示される無彩色画素の総数と、当該分割領域に表示される有彩色画素の総数とを、当該分割領域の色特徴量として取得（カウント）する。その後、特徴量取得部１１０４は、取得した色特徴量を、光源選択部１１１１に出力する。
【０１８１】
本実施例では、図３２に示すｘｙ色度図の領域１３０１内の色度を画像データの色度として有する画素が、無彩色画素として検出される。そして、領域１３０１外かつ領域１３０２内の色度を画像データの色度として有する画素が、有彩色画素として検出される。領域１３０２は、画像データの色域を示す。そのため、無彩色画素として検出されなかった画素は、有彩色画素として検出される。特徴量取得部１１０４は、例えば、以下の式２１，２２を用いて、合成画像データのＲＧＢ値（Ｒ，Ｇ，Ｂ）を、色度であるｘｙ値（ｘ，ｙ）に変換する。
ｘ＝０．６×Ｒ−０．２８×Ｇ−０．３２×Ｂ  ・・・（式２１）
ｙ＝０．２×Ｒ−０．５２×Ｇ＋０．３１×Ｂ  ・・・（式２２）
【０１８２】
図３２では、無彩色に対応する領域１３０１は、ｘｙ値（ｘ，ｙ）＝（０．４，０．４），（０．２，０．３），（０．２５，０．２），（０．４５，０．３）を直線でつなぐことで形成される四角形の領域である。しかしながら、無彩色に対応する領域のサイズや形状は特に限定されない。無彩色に対応する領域は、三角形の領域、五角形の領域、円形の領域、輪郭の少なくとも一部が曲線である領域、等であってもよい。また、無彩色画素と有彩色画素の検出方法は、特に限定されない。例えば、所定のテーブルを用いて、無彩色画素と有彩色画素が検出されてもよい。画素値（または色度）が入力され、無彩色画素であるか有彩色画素であるかの判断結果を出力するテーブル、画素値（または色度）が入力され、無彩色であるか有彩色であるかの判断結果を出力するテーブル、等を、上記所定のテーブルとして使用できる。
【０１８３】
発光強度決定部１１０５は、複数の分割領域のそれぞれについて、その分割領域に対して取得された輝度特徴量に基づいて、当該分割領域におけるバックライトモジュール１１０２の発光強度を決定する。本実施例では、輝度特徴量と発光強度の対応関係を示す所定の関数に従って、輝度特徴量から発光強度が決定される。輝度特徴量（最大階調値）と発光強度の対応関係を示す所定の関数の一例を、図３３に示す。図３３の横軸は最大階調値を示し、図３３の縦軸は発光強度を示す。本実施例では、発光強度として０〜１００の値が得られる。発光強度０は、光源が消灯することを意味し、発光強度１００は、光源が上限の発光強度で発光することを意味する。発光強度決定部１１０５は、各分割領域に対し
て決定した発光強度の情報を、強度推定部１１０６とバックライトモジュール１１０２とに出力する。なお、輝度特徴量と発光強度の対応関係を示す情報として、関数ではなく、テーブルが使用されてもよい。
【０１８４】
強度推定部１１０６は、各分割領域に対して決定された発光強度に基づいて、バックライトモジュール１１０２からの光の液晶パネル１１０３の背面に到達した際の強度（輝度）を推定する。以後、バックライトモジュール１１０２からの光の液晶パネル１１０３の背面に到達した際の強度を、「照射強度」と記載する。本実施例では、光源から発せられた光が液晶パネル１１０３に到達する際の到達率（減衰係数）が、不図示のメモリに予め格納されている。強度推定部１１０６は、画面内の位置（照射強度の推定の対象である推定位置）に対応する到達率を発光強度に乗算する処理を、各分割領域について行う。そして、強度推定部１１０６は、各分割領域の乗算結果の総和を、照射強度として算出する。画面内の全ての位置について上記方法で照射強度が推定されてもよいが、演算量が膨大となる。そのため、本実施例では、画面内の一部の位置について上記方法で照射強度が推定される。具体的には、各分割領域の中心位置が、推定位置として使用される。なお、推定位置とは異なる位置の照射強度が、推定位置の照射強度を用いた補間処理によって得られてもよい。
【０１８５】
なお、到達率は、光源の劣化状態、画像表示装置１１０１の内部の温度、画像表示装置１１０１の外部の温度、ユーザ操作、等に応じて適宜変更されてもよい。分割領域の中心位置とは異なる位置が、推定位置として使用されてもよい。照射強度の推定方法は特に限定されない。画像表示装置１１０１は、バックライトモジュール１１０２からの光を検出する光センサを有していてもよい。そして、光センサの検出結果に基づいて照射強度が推定されてもよい。
【０１８６】
補正係数決定部１１０７は、強度推定部１１０６の推測結果に基づいて、画像処理で使用される補正係数を決定する。補正係数は、光源の発光強度が基準の発光強度から変化したことによる表示輝度（画面の輝度）の変化を低減するために、画像データの画素値に乗算される係数である。推測強度をＬｐｎとし、目標の表示輝度をＬｔとすると、補正係数Ｇｐｎは、以下の式２３を用いて算出することができる。目標の表示輝度Ｌｔは、例えば、合成画像データの輝度の最大値である。
Ｇｐｎ＝Ｌｔ／Ｌｐｎ  ・・・（式２３）
【０１８７】
画像処理部１１０８は、合成画像データに所定の画像処理を施すことにより、所定の画像処理が施された後の画像データである処理画像データを生成する。本実施例では、画像処理部１１０８は、補正係数決定部１１０７で決定された補正係数を合成画像データの画素値に乗算することにより、処理画像データを生成する。本実施例では、画像処理部１１０８は、推定位置に表示される画素値に、当該推定位置に対して決定された補正係数を乗算する。また、画像処理部１１０８は、非推定位置（推定位置でない位置）の補正係数を、推定位置の補正係数を用いた補間処理により決定する。そして、画像処理部１１０８は、非推定位置に対して補間処理により決定された補正係数を、当該非推定位置に表示される画素値に乗算する。合成画像データの全ての画素値に補正係数が乗算され、処理画像データが生成される。補正係数を乗算した後の画素値が上限値を超える場合には、当該画素値は上限値に制限される。画像処理部１１０８は、生成した処理画像データを液晶パネル１１０３に出力する。なお、所定の画像処理は上記処理に限らない。
【０１８８】
ＯＳＤ位置指示部１１１０は、ＯＳＤ合成部１１０９から出力されたＯＳＤ情報を解析することにより、所定の条件を満たす分割領域を検出する。所定の条件は特に限定されな
いが、本実施例では、複数の分割領域の中から、ＯＳＤ画像（非優先画像）が表示される分割領域が、所定の条件を満たす分割領域として検出される。ＯＳＤ画像が表示される分割領域は、ＯＳＤ画像の少なくとも一部が表示される分割領域であってもよいし、ＯＳＤ画像のみが表示される分割領域であってもよい。ＯＳＤ画像が表示される分割領域は、分割領域におけるＯＳＤ画像のサイズが閾値以上の分割領域であってもよいし、分割領域のサイズに対する当該分割領域におけるＯＳＤ画像のサイズの割合が閾値以上の分割領域であってもよい。そして、ＯＳＤ位置指示部１１１０は、所定の条件を満たす分割領域の検出結果を光源選択部１１１１に出力する。なお、入力画像が表示される分割領域が、所定の条件を満たす分割領域として検出されてもよい。
【０１８９】
光源選択部１１１１は、複数の分割領域のそれぞれについて、ＯＳＤ位置指示部１１１０の検出結果と、特徴量取得部１１０４から出力された色特徴量とに基づいて、ナロー光源とブロード光源の一方を選択する。そして、光源選択部１１１１は、ナロー光源とブロード光源の選択結果をバックライトモジュール１１０２に出力する。
【０１９０】
本実施例では、光源選択部１１１１は、分割領域に表示される画像データに基づいて、当該分割領域が高彩度領域であるか低彩度領域であるかを判断する。具体的には、光源選択部１１１１は、分割領域に対して取得された色特徴量に基づいて、当該分割領域が高彩度領域であるか低彩度領域であるかを判断する。本実施例では、有彩色画素数が閾値以上である分割領域が高彩度領域として判断され、有彩色画素数が閾値未満である分割領域が低彩度領域として判断される。そのため、色特徴量に無彩色画素数が含まれていなくてもよい。
【０１９１】
なお、高彩度領域と低彩度領域の判断方法は特に限定されない。例えば、無彩色画素数に対する有彩色画素数の割合が閾値以上である分割領域が高彩度領域として判断され、無彩色画素数に対する有彩色画素数の割合が閾値未満である分割領域が低彩度領域として判断されてもよい。
【０１９２】
そして、光源選択部１１１１は、以下の選択１〜６を行う。
選択１：所定の条件を満たす分割領域の周辺に、所定の条件を満たさない高彩度領域が存在する場合に、所定の条件を満たす当該分割領域についてナロー光源を選択する。
選択２：所定の条件を満たす分割領域の周辺に、所定の条件を満たさない高彩度領域が存在しない場合に、所定の条件を満たす当該分割領域についてブロード光源を選択する。
選択３：所定の条件を満たす高彩度領域の周辺に、所定の条件を満たさない分割領域が存在しない場合に、所定の条件を満たす当該高彩度領域についてナロー光源を選択する。
選択４：所定の条件を満たす低彩度領域の周辺に、所定の条件を満たさない分割領域が存在しない場合に、所定の条件を満たす当該低彩度領域についてブロード光源を選択する。
選択５：所定の条件を満たさない高彩度領域についてナロー光源を選択する。
選択６：所定の条件を満たさない低彩度領域についてブロード光源を選択する。
【０１９３】
選択１，２により、所定の条件を満たす分割領域の周辺に、所定の条件を満たさない高彩度領域が存在する場合に、所定の条件を満たす当該分割領域からのブロード光の漏れに起因した、周辺の高彩度領域における表示色域の縮小を抑制することができる。さらに、所定の条件を満たす分割領域の周辺に、所定の条件を満たさない高彩度領域が存在しない場合に、所定の条件を満たす当該分割領域からのナロー光の漏れに起因した、周辺の低彩度領域における知覚色の個人差の増大を抑制することができる。
【０１９４】
選択３，４により、所定の条件を満たす高彩度領域の周辺に、所定の条件を満たさない分割領域が存在しない場合に、所定の条件を満たす当該高彩度領域における表示色域の縮小を抑制することができる。さらに、所定の条件を満たす低彩度領域の周辺に、所定の条件を満たさない分割領域が存在しない場合に、所定の条件を満たす当該低彩度領域における知覚色の個人差を低減することができる。
【０１９５】
そして、選択５，６により、所定の条件を満たさない高彩度領域における表示色域の縮小を抑制することができると共に、所定の条件を満たさない低彩度領域における知覚色の個人差を低減することができる。
【０１９６】
なお、選択３〜６の少なくともいずれかとして、他の処理が行われてもよい。例えば、選択３〜６の少なくともいずれかとして、ナロー光源とブロード光源の両方を選択する処理が行われてもよい。
【０１９７】
光源選択部１１１１の処理フローについて、図３４を用いて説明する。図３４は、光源選択部１１１１の処理フローの一例を示すフローチャートである。図３４の処理フローは、例えば、所定の条件を満たす分割領域の検出結果と、色特徴量とが光源選択部１１１１に入力されたことに応じて開始される。所定の条件を満たす分割領域の検出結果は、「所定の条件を満たすか否かの判断結果」とも言える。そして、図３４の処理フローは、入力画像が更新される周期（垂直同期信号Ｖｓｙｎｃの周期；フレームレート）に同期して繰り返し実行される。
【０１９８】
まず、Ｓ１５０１にて、光源選択部１１１１は、複数の分割領域のうちの１つを、処理対象領域として選択する。次に、Ｓ１５０２にて、光源選択部１１１１は、ＯＳＤ位置指示部１１１０の検出結果に基づいて、処理対象領域が所定の条件（ＯＳＤ画像（非優先画像）が表示される）を満たすか否かを判断する。処理対象領域が所定の条件を満たさない場合には（Ｓ１５０２：Ｎｏ）、Ｓ１５０４に処理が進められ、処理対象領域が所定の条件を満たす場合には（Ｓ１５０２：Ｙｅｓ）、Ｓ１５０３に処理が進められる。Ｓ１５０３にて、光源選択部１１１１は、ＯＳＤ位置指示部１１１０の検出結果に基づいて、所定の条件を満たさない分割領域が処理対象領域の周辺に存在するか否かを判断する。本実施例では、所定の条件を満たさない分割領域が処理対象領域に隣接するか否かが判断される。所定の条件を満たさない分割領域が処理対象領域に隣接しない場合には（Ｓ１５０３：Ｎｏ）、Ｓ１５０４に処理が進められ、所定の条件を満たさない分割領域が処理対象領域に隣接する場合には（Ｓ１５０３：Ｙｅｓ）、Ｓ１５０６に処理が進められる。
【０１９９】
Ｓ１５０４にて、光源選択部１１１１は、特徴量取得部１１０４で取得された複数の色特徴量の中から、処理対象領域に対応する色特徴量を選択する。次に、Ｓ１５０５にて、光源選択部１１１１は、Ｓ１５０４で選択された色特徴量に基づいて、処理対象領域が高彩度領域であるか否かを判断する。処理対象領域が高彩度領域である場合には（Ｓ１５０５：Ｙｅｓ）、Ｓ１５０８に処理が進められ、処理対象領域が低彩度領域である場合には（Ｓ１５０５：Ｎｏ）、Ｓ１５０９に処理が進められる。
【０２００】
Ｓ１５０６にて、光源選択部１１１１は、特徴量取得部１１０４で取得された複数の色特徴量の中から、処理対象領域に隣接し、且つ、所定の条件を満たさない分割領域（特定隣接領域）の色特徴量を選択する。次に、Ｓ１５０７にて、光源選択部１１１１は、Ｓ１５０６で選択された色特徴量に基づいて、高彩度領域である特定隣接領域が存在するか否かを判断する。高彩度領域である特定隣接領域が存在する場合には（Ｓ１５０７：Ｙｅｓ）、Ｓ１５０８に処理が進められ、高彩度領域である特定隣接領域が存在しない場合には（Ｓ１５０７：Ｎｏ）、Ｓ１５０９に処理が進められる。
【０２０１】
Ｓ１５０８にて、光源選択部１１１１は、処理対象領域に対応する光源としてナロー光源を選択し、処理対象領域においてナロー光源を使用することをバックライトモジュール１１０２に通知する。その後、Ｓ１５１０に処理が進められる。
【０２０２】
Ｓ１５０９にて、光源選択部１１１１は、処理対象領域に対応する光源としてブロード光源を選択し、処理対象領域においてブロード光源を使用することをバックライトモジュール１１０２に通知する。その後、Ｓ１５１０に処理が進められる。
【０２０３】
Ｓ１５１０にて、光源選択部１１１１は、処理対象領域として選択されていない分割領域（未処理領域）が存在するか否かを判断する。未処理領域が存在する場合には（Ｓ１５１０：Ｙｅｓ）、Ｓ１５１１に処理が進められる。Ｓ１５１１にて、光源選択部１１１１は、１つの未処理領域を処理対象領域として選択することにより、処理対象領域を更新する。その後、Ｓ１５０２に処理が戻される。未処理領域が存在しない場合には（Ｓ１５１０：Ｎｏ）、本処理フローが終了される。即ち、全ての分割領域について上述した処理が行われた後、本処理フローが終了される。
【０２０４】
図３５（Ａ）〜３５（Ｄ）を用いて、光源選択部１１１１の処理の具体例を説明する。図３５（Ａ）〜３５（Ｄ）には、処理対象領域１６０１と、処理対象領域に隣接する分割領域１６０２〜１６０９が示されている。
【０２０５】
図３５（Ａ）では、処理対象領域１６０１と、分割領域１６０２〜１６０９とには入力画像のみが表示される。そのため、処理対象領域１６０１は所定の条件（ＯＳＤ画像（非優先画像）が表示される）を満たさない。その結果、Ｓ１５０２からＳ１５０４に処理が進められる。そして、処理対象領域１６０１の色特徴量に基づいて、処理対象領域１６０１が高彩度領域であるか否が判断される。処理対象領域１６０１が高彩度領域である場合には、ナロー光源が選択され、処理対象領域１６０１が低彩度領域である場合には、ブロード光源が選択される。
【０２０６】
図３５（Ｂ）では、処理対象領域１６０１と、分割領域１６０２〜１６０９とにはＯＳＤ画像のみが表示される。そのため、処理対象領域１６０１は所定の条件を満たす。その結果、Ｓ１５０２からＳ１５０３に処理が進められる。また、分割領域１６０２〜１６０９も所定の条件を満たす。その結果、Ｓ１５０３からＳ１５０４に処理が進められる。そして、処理対象領域１６０１の色特徴量に基づいて、処理対象領域１６０１が高彩度領域であるか否が判断される。処理対象領域１６０１が高彩度領域である場合には、ナロー光源が選択され、処理対象領域１６０１が低彩度領域である場合には、ブロード光源が選択される。
【０２０７】
図３５（Ｃ）では、処理対象領域１６０１と、分割領域１６０６，１６０８，１６０９とにはＯＳＤ画像のみが表示される。そして、分割領域１６０２〜１６０５，１６０７には入力画像のみが表示される。そのため、処理対象領域１６０１は所定の条件を満たす。その結果、Ｓ１５０２からＳ１５０３に処理が進められる。また、分割領域１６０２〜１６０５，１６０７は所定の条件を満たさない。その結果、Ｓ１５０３からＳ１５０６に処理が進められる。そして、分割領域１６０２〜１６０５，１６０７の色特徴量に基づいて、分割領域１６０２〜１６０５，１６０７の少なくともいずれかが高彩度領域であるか否かが判断される。分割領域１６０２〜１６０５，１６０７の少なくともいずれかが高彩度領域である場合には、ナロー光源が選択され、分割領域１６０２〜１６０５，１６０７の全てが低彩度領域である場合には、ブロード光源が選択される。
【０２０８】
図３５（Ｄ）では、処理対象領域１６０１、分割領域１６０６、及び、分割領域１６０８のそれぞれにおいて、ＯＳＤ画像と入力画像の両方が表示される。分割領域１６０９に
は、ＯＳＤ画像のみが表示される。そして、分割領域１６０２〜１６０５，１６０７には入力画像のみが表示される。ここでは、ＯＳＤ画像の少なくとも一部が表示される場合に、所定の条件が満たされるものとする。そのため、処理対象領域１６０１は所定の条件を満たす。その結果、Ｓ１５０２からＳ１５０３に処理が進められる。また、分割領域１６０２〜１６０５，１６０７は所定の条件を満たさない。その結果、Ｓ１５０３からＳ１５０６に処理が進められる。そして、分割領域１６０２〜１６０５，１６０７の色特徴量に基づいて、分割領域１６０２〜１６０５，１６０７の少なくともいずれかが高彩度領域であるか否かが判断される。分割領域１６０２〜１６０５，１６０７の少なくともいずれかが高彩度領域である場合には、ナロー光源が選択され、分割領域１６０２〜１６０５，１６０７の全てが低彩度領域である場合には、ブロード光源が選択される。
【０２０９】
以上述べたように、本実施例によれば、所定の条件を満たす部分領域の周辺に、所定の条件を満たさない高彩度領域が存在する場合に、所定の条件を満たす当該部分領域においてブロード光源が使用されずにナロー光源が使用される。そして、所定の条件を満たす部分領域の周辺に、所定の条件を満たさない高彩度領域が存在しない場合に、所定の条件を満たす当該部分領域においてナロー光源が使用されずにブロード光源が使用される。それにより、所定の条件を満たす分割領域からのブロード光の漏れに起因した、表示色域の縮小と、知覚色の個人差の増大とを抑制することができ、表示色域の拡大と、知覚色の個人差の低減とを高精度に両立することができる。具体的には、所定のグラフィック画像が表示される部分画像の光源からの光に起因した、入力画像の表示画質（画面上の画質）の劣化を抑制することができる。
【０２１０】
なお、実施例１と同様に、分割領域の周辺の分割領域は、分割領域に隣接する分割領域に限らない。例えば、図３６に示すように、処理対象領域１６０１に隣接する分割領域１６０２〜１６０９と、分割領域１６０２〜１６０９に隣接する分割領域１７０１〜１７１６とが、処理対象領域１６０１の周辺の分割領域として使用されてもよい。また、本実施例では、特定隣接領域が１つでも存在する場合に、処理対象領域の光源としてナロー光源を選択したが、これに限らない。例えば、２以上の値が閾値として使用され、特定隣接領域の数が閾値以上である場合に、処理対象領域の光源としてナロー光源が選択されてもよい。そして、特定隣接領域が存在し、且つ、特定隣接領域の数が閾値未満である場合に、ブロード光源が選択されてもよい。
【０２１１】
＜実施例７＞
以下、本発明の実施例７について説明する。なお、以下では、実施例６と異なる構成や処理について詳しく説明し、実施例６と同様の構成や処理についての説明は省略する。実施例６では、優先画像である入力画像と、非優先画像である所定のグラフィック画像（ＯＳＤ画像）とが配置された合成画像を表示する例を説明した。本実施例では、第１の入力画像と第２の入力画像とが配置された合成画像を表示する例を説明する。第１の入力画像および第２の入力画像としては、任意のグラフィック、イラスト、写真、等の画像を使用することができる。
【０２１２】
本実施例では、第１の入力画像と第２の入力画像の一方が優先画像として使用され、第１の入力画像と第２の入力画像の他方が非優先画像として使用される。そのため、本実施例では、所定の条件を満たす分割領域は、第１の入力画像が表示される分割領域、または、第２の入力画像が表示される分割領域である。例えば、第１の入力画像が優先画像として使用される場合には、第２の入力画像が表示される分割領域が、所定の条件を満たす分割領域として使用される。第２の入力画像が優先画像として使用される場合には、第１の入力画像が表示される分割領域が、所定の条件を満たす分割領域として使用される。
【０２１３】
なお、第１の入力画像を優先画像として使用するか否か、第１の入力画像を非優先画像
として使用するか否か、第１の入力画像を優先画像として使用するか否か、及び、第１の入力画像を優先画像として使用するか否かは、どのような方法で判断されてもよい。例えば、入力画像の種類、入力画像の彩度、等に応じて、当該入力画像を優先画像として使用するか否かが自動で判断されてもよい。ユーザ操作に応じて、入力画像を優先画像として使用するか否かが判断されてもよい。入力画像を表す入力画像データを画像表示装置に入力する際に使用された入力端子（入力チャネル）に応じて、当該入力画像を優先画像として使用するか否かが判断されてもよい。
【０２１４】
第１の入力画像と第２の入力画像との配置には、一方の画像（親画像）の領域内に他方の画像（子画像）を配置するＰｉｎＰ（Ｐｉｃｔｕｒｅ  ｉｎ  Ｐｉｃｔｕｒｅ）、一方の画像の領域外に他方の画像を配置するＰｏｕｔＰ（Ｐｉｃｔｕｒｅ  ｏｕｔ  Ｐｉｃｔｕｒｅ）、等がある。
【０２１５】
図３７（Ａ）は、ＰｏｕｔＰの一例を示す。図３７（Ａ）では、医療診断用の画像（医療画像）１８０１と、テキスト画像１８０２とが配置されている。この場合、医療画像１８０１が優先画像として使用され、テキスト画像１８０２が非優先画像として使用されることが好ましい。医療画像１８０１が優先画像として使用され、且つ、テキスト画像１８０２が非優先画像として使用されることにより、医療画像１８０１の表示画質の劣化を抑制することができる。具体的には、他の画像が表示される分割領域の光源からの光に起因した、医療画像１８０１の表示画質の劣化を抑制することができる。その結果、診断ミスを抑制することもできる。
【０２１６】
図３７（Ｂ）は、ＰｉｎＰの一例を示す。図３７（Ｂ）では、観賞用の自然画像１８０４と、別画像１８０５とが配置されている。自然画像１８０４は、ＰｉｎＰの親画像として配置されており、別画像１８０５はＰｉｎＰの子画像として配置されている。別画像１８０５は、例えば、次に親画像として表示される自然画像である。この場合、自然画像１８０４が優先画像として使用され、別画像１８０５が非優先画像として使用されることが好ましい。自然画像１８０４が優先画像として使用され、且つ、別画像１８０５が非優先画像として使用されることにより、自然画像１８０４の表示画質の劣化を抑制することができる。具体的には、他の画像が表示される分割領域の光源からの光に起因した、自然画像１８０４の表示画質の劣化を抑制することができる。
【０２１７】
図３８は、本実施例に係る画像表示装置１９０１の構成の一例を示すブロック図である。画像表示装置１９０１は、バックライトモジュール１１０２、液晶パネル１１０３、特徴量取得部１１０４、発光強度決定部１１０５、強度推定部１１０６、補正係数決定部１１０７、及び、画像処理部１１０８を有する。さらに、画像表示装置１９０１は、入力合成部１９０２、画像位置指示部１９０３、光源選択部１１１１、及び、ユーザＩＦ部１９０４を有する。図３８において、実施例６（図３０）と同じ機能部には、実施例６と同じ符号が付されている。
【０２１８】
入力合成部１９０２は、第１の入力画像を表す第１の入力画像データに、第２の入力画像を表す第２の入力画像データを合成することにより、第１の入力画像と第２の入力画像とが配置された合成画像を表す合成画像データを生成する。入力合成部１９０２は、合成画像データを特徴量取得部１１０４に出力し、第１の入力画像と第２の入力画像とに関する情報である入力情報を画像位置指示部１９０３に出力する。例えば、入力情報は、合成画像における第１の入力画像の領域と第２の入力画像の領域とに関する情報である。
【０２１９】
ユーザＩＦ部１９０４は、画像表示装置１９０１に対するユーザ操作を受け付ける。画像表示装置１９０１に対するユーザ操作は、例えば、キーボード、マウス、リモコン、携帯端末、画像表示装置１９０１の筐体に設けられたボタン、画像表示装置１９０１の画面
に設けられたタッチパネル、等を用いて行われる。本実施例では、第１の入力画像と第２の入力画像の一方を非優先画像として選択するためのユーザ操作が行われる。例えば、第１の入力画像の優先度と、第２の入力画像の優先度とを設定するユーザ操作が行われる。ユーザＩＦ部１９０４は、ユーザ操作に応じた操作信号を画像位置指示部１９０３に出力する。
【０２２０】
画像位置指示部１９０３は、ユーザＩＦ部１９０４からの操作信号に応じて、第１の入力画像と第２の入力画像の一方を優先画像として選択し、第１の入力画像と第２の入力画像の他方を非優先画像として選択する。例えば、優先度を設定するユーザ操作が行われた場合には、第１の入力画像と第２の入力画像とのうち、優先度が低い方の画像が、非優先画像として選択される。そして、優先度が高い方の画像が優先画像として選択される。また、画像位置指示部１９０３は、非優先画像の選択結果と、入力合成部１９０２から出力された入力情報とに基づいて、所定の条件を満たす分割領域を検出する。本実施例でも、非優先画像が表示される分割領域が、所定の条件を満たす分割領域として検出される。画像位置指示部１９０３は、所定の条件を満たす分割領域の検出結果を光源選択部１１１１に出力する。
【０２２１】
本実施例によれば、第１の入力画像と第２の入力画像とが配置された合成画像を表示する場合において、実施例６の効果と同様の効果を得ることができる。具体的には、第１の入力画像と第２の入力画像の一方が表示される部分画像の光源からの光に起因した、第１の入力画像と第２の入力画像の他方の表示画質の劣化を抑制することができる。
【０２２２】
＜実施例８＞
以下、本発明の実施例８について説明する。実施例６，７では２つの画像が配置された合成画像を表示する例を説明した。本実施例では、３つ以上の画像が配置された合成画像が表示される場合の例を説明する。
【０２２３】
本実施例では、合成画像に配置された３つ以上の画像のそれぞれに対し、優先度が設定される。優先度は、例えば、実施例７と同様の方法で設定することができる。画像表示装置内で生成された複数のグラフィック画像と、１つの入力画像との優先度は、画像表示装置内において所定の方法で設定することもできる。複数の入力画像の優先度は、画像表示装置内において各入力画像の入力チャネル、作成日、種類、等に応じて設定することもできる。画像表示装置に合成画像データが入力される場合、合成画像に配置された各画像の優先度が、メタデータとして合成画像データに付加されていてもよい。そして、上記３つ以上の画像のうち、優先度が最も高い画像が、優先画像として選択され、残りの画像が非優先画像として選択される。
【０２２４】
図３９に合成画像の一例を示す。図３９に示す合成画像には、入力画像２００１、ユーザメニュー画像２００２、及び、カラーパレット画像２００３が配置されている。ここで、カラーパレット画像２００３の優先度＞入力画像２００１の優先度＞ユーザメニュー画像２００２の優先度であったとする。この場合、カラーパレット画像２００３が優先画像として選択され、入力画像２００１とユーザメニュー画像２００２が非優先画像として選択される。なお、合成画像に配置された画像は、上記３つの画像に限らない。
【０２２５】
以上述べたように、本実施例によれば、３つ以上の画像が配置された合成画像を表示する場合において、実施例６，７の効果と同様の効果を得ることができる。具体的には、最優先画像以外（優先度が最も高い画像以外）の画像が表示される部分画像の光源からの光に起因した、最優先画像の表示画質の劣化を抑制することができる。
【０２２６】
なお、実施例１〜８はあくまで一例であり、本発明の要旨の範囲内で実施例１〜８の構
成を適宜変形したり変更したりすることにより得られる構成も、本発明に含まれる。実施例１〜８の構成を適宜組み合わせて得られる構成も、本発明に含まれる。
【０２２７】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０２２８】
１００，２００，３００，４００，５００，１１０１，１９０１：画像表示装置
１０１，４０１，５０１，１１０４：特徴量取得部
１０２，２０２，３０１，４０３，５０２，１１０５：発光強度決定部
１０４：光源制御部  １０５，１１０２：バックライトモジュール
１０６，１１０３：液晶パネル  １１１０：ＯＳＤ位置指示部
１１１１：光源選択部  １９０３：画像位置指示部
【図１】
2017083572.tif 000006
【図２】
2017083572.tif 000007
【図３】
2017083572.tif 000008
【図４】
2017083572.tif 000009
【図５】
2017083572.tif 000010
【図６】
2017083572.tif 000011
【図７】
2017083572.tif 000012
【図８】
2017083572.tif 000013
【図９】
2017083572.tif 000014
【図１０】
2017083572.tif 000015
【図１１】
2017083572.tif 000016
【図１２】
2017083572.tif 000017
【図１３】
2017083572.tif 000018
【図１４】
2017083572.tif 000019
【図１５】
2017083572.tif 000020
【図１６】
2017083572.tif 000021
【図１７】
2017083572.tif 000022
【図１８】
2017083572.tif 000023
【図１９】
2017083572.tif 000024
【図２０】
2017083572.tif 000025
【図２１】
2017083572.tif 000026
【図２２】
2017083572.tif 000027
【図２３】
2017083572.tif 000028
【図２４】
2017083572.tif 000029
【図２５】
2017083572.tif 000030
【図２６】
2017083572.tif 000031
【図２７】
2017083572.tif 000032
【図２８】
2017083572.tif 000033
【図２９】
2017083572.tif 000034
【図３０】
2017083572.tif 000035
【図３１】
2017083572.tif 000036
【図３２】
2017083572.tif 000037
【図３３】
2017083572.tif 000038
【図３４】
2017083572.tif 000039
【図３５】
2017083572.tif 000040
【図３６】
2017083572.tif 000041
【図３７】
2017083572.tif 000042
【図３８】
2017083572.tif 000043
【図３９】
2017083572.tif 000044